(57)【要約】【課題】２つの表示装置を用いて操作性と利便性の双方が優れたユーザインターフェースを提供すること。【解決手段】車両用操作装置は、タッチパネルを有する第１表示装置よりも高く且つ運転席から遠い位置に配置される第２表示装置に、ナビゲーション画像等の第２画像を、出力する第２表示制御部と、第１表示装置に第１画像を出力する第１表示制御部であって、第２表示装置に出力されている第２画像から独立した第１モード画像を出力する第１モードと、第２表示装置に出力されている第２画像と同一又は略同一の外観を有する第２モード画像を出力する第２モードと、を有する第１表示制御部と、第１モードでは、タッチパネルにおける操作入力に基づいて第１画像に係る第１所定機能を実行し、第２モードでは、タッチパネルにおける操作入力に基づいて第２画像又は第２モード画像に係る第２所定機能を実行する入力受付処理部とを含み、第１表示制御部は、ユーザからのモード切替入力に基づいて、第１モードと第２モードとの間で切り替わる。【選択図】図２
2018058388.tif 000002
【特許請求の範囲】
【請求項１】
タッチパネルを有する第１表示装置よりも高く且つ運転席から遠い位置に配置される第２表示装置に、ナビゲーション画像を含む第２画像を、出力する第２表示制御部と、
前記第１表示装置に第１画像を出力する第１表示制御部であって、前記第２表示装置に出力されている前記第２画像から独立した第１モード画像を、前記第１画像として出力する第１モードと、前記第２表示装置に出力されている前記第２画像と同一又は略同一の外観を有する第２モード画像を、前記第１画像として出力する第２モードと、を有する第１表示制御部と、
前記第１表示制御部が前記第１モードであるときは、前記タッチパネルにおける操作入力に基づいて前記第１モード画像に係る第１所定機能を実行し、前記第１表示制御部が前記第２モードであるときは、前記タッチパネルにおける操作入力に基づいて前記第２画像又は前記第２モード画像に係る第２所定機能を実行する入力受付処理部とを含み、
前記第１表示制御部は、ユーザからのモード切替入力に基づいて、前記第１モードと前記第２モードとの間で切り替わる、車両用操作装置。
【請求項２】
前記モード切替入力は、前記タッチパネルにおける所定入力を含む、請求項１に記載の車両用操作装置。
【請求項３】
前記第１表示制御部は、更に、前記第１モード画像及び前記第２モード画像のうちの一方が他方に部分的に隠される複合画像を、複数のフレーム周期にわたり連続して出力することを含むアニメーション処理を行い、
前記アニメーション処理は、前記第１モードと前記第２モードとの間で切り替わることに先行する第１アニメーション処理であって、時間の経過に伴って、前記第１モード画像及び前記第２モード画像のうちの、切り替わり前の前記第１画像の表示範囲を徐々に低減させつつ、切り替わり後の前記第１画像を徐々に出現させる態様で、前記複合画像を前記複数のフレーム周期にわたり変化させてから、切り替わり後の前記第１画像を出力する第１アニメーション処理を含む、請求項１又は２に記載の車両用操作装置。
【請求項４】
前記所定入力は、第１方向への指の動きを伴う第１入力と、前記第１方向とは逆方向への指の動きを伴う第２入力とを含み、
前記第１入力は、前記第１モードから前記第２モードへの切り替わりを生じさせ、前記第２入力は、前記第２モードから前記第１モードへの切り替わりを生じさせ、
前記第１表示制御部は、更に、前記第１方向に対して垂直に延在する境界よりも前記第１方向の側に前記第１モード画像の一部を有し且つ前記境界よりも前記逆方向の側に前記第２モード画像の一部を有する複合画像を、複数のフレーム周期にわたり連続して出力するアニメーション処理を行い、
前記アニメーション処理は、前記タッチパネルにおける前記第１方向又は前記逆方向への指の動きに連動させて、前記複合画像における前記境界が前記第１方向又は前記逆方向に移動する態様で、前記複合画像を前記複数のフレーム周期にわたり変化させる第２アニメーション処理を含む、請求項２に記載の車両用操作装置。
【請求項５】
前記アニメーション処理は、前記第１モード画像が前記第２モード画像を選択的にカバーする戸又はシャッタとなって画面内又は画面外に並進移動する戸モデル又はシャッタモデル、又は、前記第２モード画像が前記第１モード画像を選択的にカバーするロールカーテンとなって画面内に展開又は画面外に巻上げられるロールカーテンモデルに基づく、請求項３又は４に記載の車両用操作装置。
【請求項６】
前記第１表示制御部は、更に、前記第２モードにおける前記第２モード画像に対する所定時間以上の無操作状態に基づいて、前記第２モードから前記第１モードに切り替わる、請求項１〜５のうちのいずれか１項に記載の車両用操作装置。
【請求項７】
前記第１表示制御部は、前記第２表示制御部が生成する映像信号に基づいて、前記第２モード画像を生成する、請求項１〜６のうちのいずれか１項に記載の車両用操作装置。
【請求項８】
前記第２表示装置を更に含み、
前記第２表示装置は、タッチパネルを有さない、請求項１〜７のうちのいずれか１項に記載の車両用操作装置。
【発明の詳細な説明】
【技術分野】
【０００１】
本開示は、車両用操作装置に関する。
【背景技術】
【０００２】
２つのタッチパネル付きの表示装置を備え、２つの表示装置のそれぞれに異なるユーザインターフェース用の画像を出力する技術が知られている（例えば、特許文献１参照）。
【先行技術文献】
【特許文献】
【０００３】
【特許文献１】特開2016-004482公報
【発明の概要】
【発明が解決しようとする課題】
【０００４】
２つの表示装置を用いる場合、相対的に上側に配置された表示装置（以下、「上表示装置」と称する）と、相対的に下側に配置された表示装置（以下、「下表示装置」と称する）のそれぞれで、互いに異なる画像を出力した状態を形成できるため、利便性が高くなる。例えば、上表示装置にナビゲーション画像が出力され、且つ、下表示装置に空調設定に係る画像が出力される状態では、ユーザは、ナビゲーション画像を常に視認可能な状態としつつ、下表示装置で空調操作を行うことが可能であり、便利である。
【０００５】
しかしながら、上記のような従来技術では、２つの表示装置を用いて操作性と利便性の双方が優れたユーザインターフェースを提供することが難しい。例えば、上記のような従来技術では、下表示装置と上表示装置のそれぞれに出力される画像を同じにしたまま、該画像に係る機能を下表示装置での操作で実現できない。この点、例えば、視認性の相対的に高い上表示装置上でナビゲーション画像を視認可能な状態としつつ、下表示装置でのナビゲーション操作が可能となると、操作性が向上する。
【０００６】
そこで、本発明は、２つの表示装置を用いて操作性と利便性の双方が優れたユーザインターフェースを提供することを目的とする。
【課題を解決するための手段】
【０００７】
本発明の第１態様によれば、タッチパネルを有する第１表示装置よりも高く且つ運転席から遠い位置に配置される第２表示装置に、ナビゲーション画像を含む第２画像を、出力する第２表示制御部と、
前記第１表示装置に第１画像を出力する第１表示制御部であって、前記第２表示装置に出力されている前記第２画像から独立した第１モード画像を、前記第１画像として出力する第１モードと、前記第２表示装置に出力されている前記第２画像と同一又は略同一の外観を有する第２モード画像を、前記第１画像として出力する第２モードと、を有する第１表示制御部と、
前記第１表示制御部が前記第１モードであるときは、前記タッチパネルにおける操作入力に基づいて前記第１モード画像に係る第１所定機能を実行し、前記第１表示制御部が前記第２モードであるときは、前記タッチパネルにおける操作入力に基づいて前記第２画像又は前記第２モード画像に係る第２所定機能を実行する入力受付処理部とを含み、
前記第１表示制御部は、ユーザからのモード切替入力に基づいて、前記第１モードと前記第２モードとの間で切り替わる、車両用操作装置が提供される。
【０００８】
本発明の第１態様によれば、第１モードでは、第２表示装置に出力されている第２画像から独立した第１モード画像が、第２モードでは、第２表示装置に出力されている第２画像と同一又は略同一の外観を有する第２モード画像が、第１表示装置に出力されることになる。従って、第１モードでは、第１表示装置上の第１モード画像は、第２表示装置に出力されている第２画像に依存しない態様で出力され、第２モードでは、第１表示装置上の第２モード画像は、第２表示装置に出力されている第２画像に応じて変化する態様で出力されることになる。ここで、「第２画像と略同一の外観を有する第２モード画像」とは、第２モード画像と第２画像との間の外観上の僅かな相違を許容するものであり、画像要部の外観が同じである態様を指す。外観上の僅かな相違とは、例えば第２モード画像の周囲に設けられる操作項目表示が第２画像に無いだけの相違や、第２モード画像に無いカーソルないしポインタの表示が、第２画像に存在するだけの相違、明るさやコントラストだけが異なる相違等であり得る。尚、第２画像は、ナビゲーション画像を含むので、ユーザ（例えば運転者）は、第１表示装置よりも視認性が良い第２表示装置上でナビゲーション画像を見ることができる。
【０００９】
本発明の第１態様では、第１表示制御部は、ユーザからのモード切替入力に基づいて、第１モードと第２モードとの間で切り替わる。従って、ユーザは、モード切替入力を行うことで、第１モードと第２モードとの間を切り替えることができ、利便性が向上する。第１モードと第２モードとの間の切り替わりは、第１表示装置での第１モード画像及び第２モード画像間の切り替わりを伴う。従って、ユーザは、第１表示装置での第１モード画像及び第２モード画像間の切り替わりを目視することで、モード間の切り替わりを視覚的に理解でき、直感的に馴染みやすくなる。
【００１０】
第１モードでは、ユーザは、第１モード画像に係る第１所定機能（例えば設定値の変更等）を、第１表示装置での操作入力で実現できる。これにより、第１モードでは、ユーザは、視認性の比較的高い第２表示装置上で第２画像を視認可能な状態としつつ、第２画像から独立した第１モード画像に係る操作を第１表示装置で行うことが可能となる。従って、第１モードでは、ユーザは、走行中、第１表示装置でどのような操作を行う際でも、第１表示装置よりも視認性が良い第２表示装置において、ナビゲーション画像を視認可能な状態に維持することが可能であり、利便性が良好である。
【００１１】
また、第２モードでは、ユーザは、第２所定機能を第１表示装置での操作入力で実現できる。第２所定機能は、第２画像及び第２モード画像のいずれに係る機能であってもよい。これは、第２画像及び第２モード画像の外観が同一又は略同一であれば、第２モードにおいて、ユーザは、第２モード画像に係る機能を実現しているのか上画像に係る機能を実現しているのかを混同する虞がないためである。尚、第２画像がナビゲーション画像であるとき（及びそれに伴い第２モード画像が該ナビゲーション画像と外観が同一等であるとき）、第２所定機能は、ナビゲーション画像に係る機能である。これにより、第２モードでは、ユーザは、視認性の比較的高い第２表示装置上でナビゲーション画像を見ながら、又は、第１表示装置上で、対応するナビゲーション画像（第２モード画像）を見ながら、第１表示装置でのナビゲーション操作が可能となる。また、第１表示装置は、第２表示装置よりも低く且つ運転席に近い位置に設けられるので、第２表示装置にタッチパネルを設けて第２画像に係る操作を第２表示装置で行う場合よりも、操作性が向上する。
【００１２】
また、第１モード及び第２モードのいずれにおいても、ユーザは、操作性が相対的に良好な第１表示装置での操作が可能である。これにより、『既存の単一のタッチパネル付き表示装置』での操作に慣れたユーザにとっても、馴染みやすい操作系となる。
【００１３】
本発明の他の態様は、例えば請求項２に記載のとおりであり、該態様によれば、運転者は、第１表示装置を直視せずにモード切替入力を行うことも可能となり、モード切替入力を行う際の運転者の視線の前方からの移動を抑制できる。
【００１４】
本発明の他の態様は、例えば請求項３に記載のとおりであり、該態様によれば、第１モードと第２モードとの間で切り替わることに先行する第１アニメーション処理によって、時間の経過に伴って複合画像が変化するので、第１モードから第２モードへの切り替わり、及び、その逆の切り替わりが生じることが視覚的にわかり易くなる。
【００１５】
本発明の他の態様は、例えば請求項４に記載のとおりであり、該態様によれば、ユーザは、第１モードから第２モードへの切り替わり、及び、その逆の切り替わりを、互いに異なる方向の第１入力及び第２入力をそれぞれ行うことで実現できる。また、複合画像における境界が指の動きに連動するので、該指の動きを継続することで第１モードから第２モードへの切り替わり又はその逆の切り替わりが生じうることが視覚的にわかり易くなる。
【００１６】
本発明の他の態様は、例えば請求項５に記載のとおりであり、該態様によれば、ユーザが生活で馴染みのある戸又はシャッタ等を用いたモデルに基づくことで、第１モード画像が第２モード画像との間のレイヤ関係がわかり易くなり、第１モード画像と第２モード画像の関係（及び第１モードと第２モードの関係）に対するユーザの直感的な理解を促進できる。
【００１７】
本発明の他の態様は、例えば請求項６に記載のとおりであり、該態様によれば、無操作により第２モードから第１モードへの自動復帰が実現されるので、ユーザは、第２モードから第１モードへの切り替わりに対して特別な切り替え操作を行う必要が無くなり、利便性が向上する。
【００１８】
本発明の他の態様は、例えば請求項７に記載のとおりであり、該態様によれば、第２表示制御部が生成する映像信号を利用して第２モード画像を生成できる。これにより、第１表示制御部により第２モード画像を描画するためのソフトウェアが不要又は簡易となる。また、第２表示制御部による映像信号の生成用のソフトウェアは、既存のナビゲーション装置を含むマルチメディア装置で用いられるソフトウェアをそのまま流用又は若干の修正を加えて利用することも可能であり、ソフトウェア開発工数を低減できる。
【００１９】
本発明の他の態様は、例えば請求項８に記載のとおりであり、該態様によれば、第２表示装置を表示専用として、操作性を考慮せずに視認性の高い位置に配置できる。また、第１表示装置と第２表示装置の役割の相違が明確になり、ユーザにとって馴染みやすいユーザインターフェースを提供できる。
【発明の効果】
【００２０】
本発明によれば、２つの表示装置を用いて操作性と利便性の双方が優れたユーザインターフェースを提供できる。
【図面の簡単な説明】
【００２１】
【図１】一実施例による車両用操作装置１の一例を示す図である。
【図２】上表示装置３及び下表示装置４の設置状態の一例を示す図である。
【図３】制御ユニット１０の機能ブロックの一例を示す図である。
【図４Ａ】独立表示モード画像の一例を示す図である。
【図４Ｂ】ミラー表示モード画像の一例を示す図である。
【図５】独立表示モードとミラー表示モードとの間の遷移条件の一例を示す状態遷移図である。
【図６】ＧＵＩ（Graphical User Interface）情報の一例を説明する図である。
【図７】鎧戸モデルの概念的な説明図である。
【図８Ａ】鎧戸モデルに基づくアニメーション処理の説明図である。
【図８Ｂ】鎧戸モデルに基づくアニメーション処理の説明図である。
【図８Ｃ】鎧戸モデルに基づくアニメーション処理の説明図である。
【図９】ロールカーテンモデルの概念的な説明図である。
【図１０Ａ】ロールカーテンモデルに基づくアニメーション処理の説明図である。
【図１０Ｂ】ロールカーテンモデルに基づくアニメーション処理の説明図である。
【図１０Ｃ】ロールカーテンモデルに基づくアニメーション処理の説明図である。
【図１１】動作例の説明に用いる各種定義の説明図である。
【図１２】制御ユニット１０の入力受付処理部１１４により実行される処理の一例を示す概略フローチャートである。
【図１３】制御ユニット１０の入力受付処理部１１４により実行される処理の一例を示す概略フローチャートである。
【図１４】制御ユニット１０の入力受付処理部１１４により実行される処理の一例を示す概略フローチャートである。
【図１５】制御ユニット１０の入力受付処理部１１４により実行される処理の一例を示す概略フローチャートである。
【図１６】制御ユニット１０の表示制御部１１０により実行される処理の一例を示す概略フローチャートである。
【図１７】制御ユニット１０の表示制御部１１０により実行される処理の一例を示す概略フローチャートである。
【図１８】上画像と外観が略同一であるミラー表示モードの一例の説明図である。
【図１９】上画像と外観が略同一であるミラー表示モードの他の一例の説明図である。
【発明を実施するための形態】
【００２２】
以下、添付図面を参照しながら各実施例について詳細に説明する。
【００２３】
以下の説明において、「画像」とは、映像を含む概念である。即ち、映像は、画像の一種である。
【００２４】
図１は、一実施例による車両用操作装置１の一例を示す図である。図２は、上表示装置３及び下表示装置４の設置状態の一例を示す図である。
【００２５】
車両用操作装置１は、図１に示すように、マルチメディア装置２と、上表示装置３（第２表示装置の一例）と、下表示装置４（第１表示装置の一例）と、タッチパネル５と、機械式スイッチ類(ハードスイッチ類)６と、制御ユニット１０とを含む。
【００２６】
マルチメディア装置２は、ナビゲーション装置やオーディオ装置、ＴＶチューナなどのようなマルチメディア系の各種装置を含む。尚、マルチメディア装置２は、ハードウェア資源としてコンピュータ（図示せず）を含み、特許請求の範囲における「第２表示制御部」の一例は、マルチメディア装置２におけるコンピュータの処理（プログラムの実行処理）により実現できる。
【００２７】
マルチメディア装置２は、上表示装置３に画像（以下、「上画像」とも称する）を出力する。上画像は、第２画像の一例である。マルチメディア装置２は、上表示装置３に、複数種の上画像のうちの選択された上画像を出力する。尚、複数種のうちの出力される上画像は、基本的には、ユーザ（例えば運転者）により選択されるが、特定の場合にデフォルトとして自動的に選択されてもよい。
【００２８】
本実施例では、一例として、マルチメディア装置２は、マルチメディア装置２の操作を行うための複数種の上画像のうちの選択された上画像を、上表示装置３に出力する。具体的には、複数種の上画像は、ナビゲーション画像、オーディオ装置に関する画像（トラック番号などを示す画像や、各種メディアによる再生映像など）、ＴＶ放送の映像、電話やメールに関する画像等を含む。複数種の上画像は、種類毎、下層の画像を有するレイヤ構造を有してよい。例えば、ナビゲーション画像は、地図画像を最上位層とし、目的地設定用の画像、周辺施設の表示設定用の画像等を下層とするレイヤ構造を有してよい。尚、以下において、上画像に係る画面遷移とは、上画像の種類間の遷移や、同一種類の画像内でのレイヤ間の遷移を含む概念である。
【００２９】
マルチメディア装置２は、上表示装置３に出力する上画像に係る映像信号を生成し、該映像信号を上表示装置３及び制御ユニット１０に与える。例えば、マルチメディア装置２は、上表示装置３にナビゲーション画像である地図画像を出力している状態では、車両の現在位置の変化に応じて地図画像を更新するための映像信号を生成する。本実施例では、一例として、映像信号は、図１に示すように、制御ユニット１０に取り込まれてから、上表示装置３に与えられる。但し、マルチメディア装置２は、映像信号を制御ユニット１０及び上表示装置３のそれぞれに別々に与えてもよい。
【００３０】
マルチメディア装置２には、制御ユニット１０から操作信号が入力される。操作信号は、機械式スイッチ類６における入力や、タッチパネル５における操作入力（後述の所定の定義部位に対応付けられた操作入力）に応じて生成される。マルチメディア装置２は、入力される操作信号に基づいて、該操作信号に応じた処理を実行する。例えば、マルチメディア装置２は、操作信号に応じて、例えばナビゲーション画像から他の種類の画像（例えばオーディオ装置に関する画像）への画面遷移や、ナビゲーション画像における地図の拡大、ルート検索等の各種処理を行い、処理結果に基づく映像信号を生成し、該映像信号を制御ユニット１０及び上表示装置３に与える。
【００３１】
上表示装置３は、例えば液晶ディスプレイのような表示装置である。本実施例では、一例として、上表示装置３は、車載型のディスプレイである。本実施例では、上表示装置３は、下表示装置４とは異なり、タッチパネルを備えていない。これにより、上表示装置３のコスト（タッチパネルに関連するコスト）を低減できると共に、上表示装置３の配置自由度が高くなる（操作性を考慮しなくてよくなるため）。但し、変形例では、上表示装置３は、タッチパネルを備えてもよい。
【００３２】
上表示装置３は、下表示装置４よりも高く且つ運転席から遠い位置に配置される。上表示装置３は、図２に示すように、運転中の運転者Ｓが視認しやすい位置に設けられる。尚、運転席からの遠さは、運転者ＳのショルダーポイントＰ１（設計値）からの距離で判断できる。他方、下表示装置４は、図２に示すように、運転中の運転者Ｓが手を伸ばして容易に操作できるような位置に配置される。尚、下表示装置４の位置に関して、運転中の操作性の観点から、運転者ＳのショルダーポイントＰ１（図２）からの距離（リーチ距離）が同じであれば、下方にあるほど、操作時の筋負荷が低くなるので有利となる。他方、運転中の視認性の観点からは、下表示装置４の位置は、下方にあるほど不利になる。下表示装置４には、後述のように、ミラー表示モード画像（後述）としてナビゲーション画像が出力されうるので、下表示装置４は、好ましくは、地図画像に対する必要な視認性を確保するために、運転者Ｓの視点からの俯角（水平面に対する下方への俯角）が３０度よりも有意に大きくならない位置に配置される。尚、図２に示す例では、上表示装置３は、インストルメントパネル内に組み込まれているが、インストルメントパネルの上部に載置されてもよい。
【００３３】
上表示装置３には、図１に示すように、マルチメディア装置２からの映像信号が直接的に（即ち制御ユニット１０での処理を介さずに）入力される。上表示装置３は、マルチメディア装置２から入力される映像信号に基づく上画像を表示する。
【００３４】
下表示装置４は、例えば液晶ディスプレイのような表示装置である。本実施例では、一例として、下表示装置４は、車載型のディスプレイである。
【００３５】
タッチパネル５は、下表示装置４に設けられる。即ち、下表示装置４は、タッチパネルを有する表示装置である。タッチパネル５における入力の検出方式は、静電式であるが、感圧式、静電式と感圧式の組み合わせのような他の方式であってもよい。タッチパネル５は、タッチパネル５の各位置での静電容量の変化量を表す検出信号を制御ユニット１０に与える。
【００３６】
機械式スイッチ類６は、例えばインストルメントパネルに組み込まれる意匠パネルスイッチに設けられる。機械式スイッチ類６は、例えば下表示装置４の周辺に設けられる（図５参照）。機械式スイッチ類６は、例えば、マルチメディア系スイッチと、車両制御系スイッチと、トップスイッチ（後述の独立表示モードへの復帰用等のスイッチ）とを含む。マルチメディア系スイッチは、マルチメディア装置２の操作を行うためのスイッチであり、例えばナビゲーション画像を呼び出すマップスイッチや、目的地を設定するための操作用画像を呼び出す目的地スイッチ等を含んでよい。車両制御系スイッチは、空調装置の操作（空調操作）、走行制御モードの選択、走行支援装置（クリアランスソナーなど）の設定、後席操作、電動式リアサンシェードの操作等のような、各種操作用のスイッチである。機械式スイッチ類６をユーザが操作することで生じる操作信号は、制御ユニット１０に入力される。
【００３７】
制御ユニット１０は、コンピュータにより形成される。例えば、制御ユニット１０は、ＥＣＵ（Electronic Control Unit）である。制御ユニット１０は、マルチメディア装置２、上表示装置３、下表示装置４、タッチパネル５、及び機械式スイッチ類６に接続されると共に、ＣＡＮ（controller area network）３０を介して車両内の各種の電子部品に接続される。尚、制御ユニット１０がＣＡＮ３０を介して接続される電子部品は、空調装置（図示せず）を制御するエアコンＥＣＵ（図示せず）を含む。
【００３８】
制御ユニット１０は、メインＣＰＵ（Central Processing Unit）１１と、サブマイコン１２と、主記憶装置１３と、補助記憶装置１４と、描画ＩＣ（Integrated Circuit）１６を含む。尚、メインＣＰＵ１１とサブマイコン１２とは統合されてもよい。
【００３９】
図３は、制御ユニット１０の機能ブロックの一例を示す図である。
【００４０】
制御ユニット１０は、表示制御部１１０（第１表示制御部の一例）と、入力受付処理部１１４とを含む。表示制御部１１０は、描画ＩＣ１６の処理や、メインＣＰＵ１１の処理（プログラムの実行処理）により実現できる。入力受付処理部１１４は、メインＣＰＵ１１及びサブマイコン１２の処理（プログラムの実行処理）により実現できる。
【００４１】
表示制御部１１０は、下表示装置４に、画像（「下画像」と称する）を出力する。下画像は、ユーザインターフェース用の画像（以下、「下ＧＵＩ画像」とも称する）を含む。本実施例では、一例として、下画像は、下ＧＵＩ画像と、後述のアニメーション処理に関連して生成する複合画像（図８Ｂ、図１０Ｂ参照）とを選択的に含む。
【００４２】
下ＧＵＩ画像のようなユーザインターフェース用の画像には、１つ以上の機能が対応付けられる。また、１つ以上の機能は、それぞれ、ユーザインターフェース用の画像の所定位置に対応付けられる。尚、ユーザインターフェース用の画像に対応付けられる機能は、該画像の外観に応じて決まる。換言すると、通常、画像に、ある機能を対応付けたいときは、該画像に、該機能に関連した外観を持たせる。本実施例では、一例として、ユーザインターフェース用の画像は、タッチパネル５における操作入力及び機能のそれぞれに対応付けられた定義部位を有する。定義部位とは、画像内の一部又は全体であって、該定義部位で受け付けられる操作入力と、該操作入力に応答して実現すべき機能とが定義された部位である。定義部位には、典型的には、操作項目表示が描画される。即ち、定義部位は、対応付けられた機能を示す文字や絵等が付された操作項目表示の描画範囲に対応する。操作項目表示は、例えば、マルチメディア装置２や空調装置（図示せず）のような操作対象装置の各種設定（音量調整や温度調整等）を行うための設定スイッチや、特定の画面遷移を行うためのスイッチ、画面スクロールやリストスクロールを行うためのスクロールスイッチ、文字や数字などの入力キー、リストなどを選択するための選択スイッチ等のような、スイッチの形態でありうる。また、操作項目表示は、特定のアプリケーションを起動するためのアイコンやランチャの形態でありうる。
【００４３】
但し、定義部位は、操作項目表示の描画範囲に限られない。例えば、定義部位は、ドラッグにより地図画像内の領域（例えば、ドラッグされたときに、地図画像のスクロールが実現される部位や、ピンチイン／アウトされたときに、地図画像の縮小／拡大が実現される部位、ＴＶの映像の一部の部位（例えば、タップされたときに、ＴＶ設定用画像への画面遷移が実現される部位）でありうる。
【００４４】
定義部位に対応付けられる操作入力及び機能は、下表示装置４に出力される下ＧＵＩ画像毎及び定義部位毎に予め規定される（例えば図６に示すＧＵＩ情報参照、図６に示すＧＵＩ情報は、後に説明する）。
【００４５】
表示制御部１１０は、独立表示モード画像（第１モード画像の一例）を出力する独立表示モード（第１モードの一例）と、ミラー表示モード画像（第２モード画像の一例）を出力するミラー表示モード（第２モードの一例）とを有する。独立表示モードでは、独立表示モード画像が下ＧＵＩ画像となり、ミラー表示モードでは、ミラー表示モード画像が下ＧＵＩ画像となる。独立表示モード画像及びミラー表示モード画像は、それぞれ、第１画像の一例である。独立表示モード及びミラー表示モード間の遷移条件の一例は、図５を参照して後述する。
【００４６】
独立表示モード画像は、上表示装置３に出力されている上画像から独立した画像である。従って、独立表示モード中、独立表示モード画像は、上表示装置３に出力されている上画像が変化しても、該変化に起因して変化はしない。例えば、独立表示モード画像は、上表示装置３に出力されることの無い画像である。独立表示モード画像は、１種類のみであってもよいが、本実施例では、一例として、独立表示モード画像は、複数種あり、複数種の独立表示モード画像のうちの、下表示装置４に出力される独立表示モード画像は、ユーザにより選択が可能である。複数種の独立表示モード画像は、例えば、車両制御系の操作用画像であり、空調操作用画像、走行制御モードの選択用画像、走行支援装置の設定用画像、後席操作、電動式リアサンシェードの操作用画像等である。また、例えば、独立表示モード画像は、メニュー画像をホーム画像として有し、ホーム画像の下層に空調操作用画像、走行制御モードの選択用画像等の各種画像が並列的に用意されるレイヤ構造を有してよい。また、空調操作用画像等の各種画像についても、更なる下層の画像を有するレイヤ構造を有してよい。
【００４７】
独立表示モード画像には、上画像に係る機能とは異なる機能が対応付けられる。本実施例では、独立表示モード画像における各定義部位に対応付けられる機能は、車両制御系の各種機能を含む。例えば、独立表示モード画像の定義部位に対応付けられる各種機能は、機械式スイッチ類６の車両制御系スイッチで実現できる各種機能と、車両制御系スイッチで実現できない更なる各種機能（車両制御系の各種機能）とを含んでよい。図４Ａは、独立表示モード画像の一例を示す図である。図４Ａに示す例では、独立表示モード画像は、空調操作用画像であり、各種設定用の操作項目表示４０１〜４１０が示される。
【００４８】
ミラー表示モード画像は、上表示装置３に（現に）出力されている上画像と外観が同一である。従って、ミラー表示モード中、ミラー表示モード画像は、上表示装置３に出力されている上画像が変化すると、該変化に応じて変化する。尚、ミラー表示モード画像は、上表示装置３と下表示装置４との間の画面サイズの相違に応じて、上画像に対して一定の比率で縮小（又は拡大）されうる。
【００４９】
ミラー表示モード画像には、対応する上画像に係る機能が対応付けられる。即ち、ある上画像と同一の外観を有するミラー表示モード画像には、該上画像に係る機能が対応付けられる。本実施例では、ミラー表示モード画像における各定義部位に対応付けられる機能は、マルチメディア装置２により実現される各種機能を含む。例えば、ミラー表示モード画像の定義部位に対応付けられる各種機能は、機械式スイッチ類６のマルチメディア系スイッチで実現できる各種機能と、マルチメディア系スイッチで実現できない更なる各種機能（マルチメディア系の機能）とを含んでよい。図４Ｂは、ミラー表示モード画像の一例を示す図である。図４Ｂに示す例では、ミラー表示モード画像は、ナビゲーション画像であり、各種設定用の操作項目表示５０１〜５０７が示される。
【００５０】
ミラー表示モード画像は、上表示装置３に出力されている上画像と外観が同一であるので、マルチメディア装置２が上表示装置３に出力する映像信号を用いて生成できる。これにより、表示制御部１１０におけるミラー表示モード画像の描画処理が不要又は簡易となり、コスト面で有利となる。
【００５１】
表示制御部１１０は、ユーザからのモード切替入力に基づいて、独立表示モードとミラー表示モードとの間で切り替わる。モード切替入力は、独立表示モード及びミラー表示モード間の遷移条件（図５を参照して後述）を満たす入力であり、予め規定される。モード切替入力は、機械式スイッチ類６における所定の入力、タッチパネル５における所定入力、音声を用いた所定の入力（音声認識エンジンにより認識される所定の入力）、及び手や指を用いたジェスチャによる所定の入力（ジェスチャ認識エンジンにより認識される所定の入力）のうちの任意の１つ又は任意の２つ以上を含んでよい。
【００５２】
本実施例では、一例として、以下で説明するように、モード切替入力は、トップスイッチの操作のような機械式スイッチ類６における所定の入力、及び、タッチパネル５における所定入力を含む。トップスイッチの操作は、ミラー表示モードから独立表示モードへの遷移条件を満たす入力の１つである。
【００５３】
タッチパネル５における所定入力（以下、「所定のタッチ入力」と称する）は、独立表示モードからミラー表示モードへの遷移条件を満たす第１入力と、ミラー表示モードから独立表示モードへの遷移条件を満たす第２入力とを含む。第１入力は、第１方向への指の動きを伴い、第２入力は、第１方向とは逆方向への指の動きを伴う。以下では、タッチパネル５における入力に関する上下方向（上方向や下方向）は、タッチパネル５の操作面の縦方向に対応するものとする。また、タッチパネル５における入力に関する左右方向（左方向や右方向）は、タッチパネル５の操作面の横方向に対応するものとする。例えば、第１方向は、上方向、下方向、左方向、及び右方向のうちのいずれか１つである。
【００５４】
本実施例では、一例として、第１方向は、下方向である。従って、第１入力は、下方向への指の動きを伴い、第２入力は、上方向への指の動きを伴う。具体的には、第１入力は、下方向へのドラッグ、フリック又はエッジインであり（図５の条件（１）参照）、第２入力は、上方向へのドラッグ、フリック又はエッジインである（図５の条件（１４）参照）。エッジインは、タッチパネル５の操作面の上下方向両端が下表示装置４の画面の上下方向両端よりも外側まで延在している場合に検出可能な操作となる。エッジインは、タッチパネル５の操作面の上下方向端部領域から、タッチパネル５の操作面における下表示装置４の画面と重なる領域へと指をはらう操作に対応する。例えば、下方向へのエッジインは、タッチパネル５の操作面の上側端部領域からタッチパネル５の操作面における下表示装置４の画面と重なる領域へと指を下方にはらう操作に対応する。
【００５５】
更に、表示制御部１１０は、ミラー表示モードにおけるミラー表示モード画像に対する所定時間Ｔ１（例えば２０秒）以上のユーザの無操作状態（以下、「特定無操作状態」と称する）に基づいて、ミラー表示モードから独立表示モードに切り替わる（後述の条件（１１）参照）。特定無操作状態は、下表示装置４に出力されているミラー表示モード画像に対していかなる入力（タッチパネル５における入力や、機械式スイッチ類６における入力）も無い状態である。これにより、ユーザによる特別な切り替え操作を必要とせずに、ミラー表示モードから独立表示モードへの遷移を実現でき、利便性が向上する。例えば、ユーザが下表示装置４にミラー表示モード表示を出力させたいときは、ユーザが下表示装置４でミラー表示モード画像（上画像）に係る操作を行いたいときである。ミラー表示モード中は、上表示装置３にはミラー表示モード画像と同一の外観を有する上画像が表示されていることから、下表示装置４でミラー表示モード画像に係る操作が不要となった時点で、ユーザにとって、下表示装置４でのミラー表示モード画像の出力は不要となる。かかる場合に、ユーザは、所定時間Ｔ１だけ下表示装置４のミラー表示モードに対して何ら操作しないことでミラー表示モードから独立表示モードへの遷移を実現でき、便利である。
【００５６】
図５は、独立表示モードとミラー表示モードとの間の遷移条件の一例を示す状態遷移図である。図５には、上表示装置３、下表示装置４、及び機械式スイッチ類６が併せて示される。
【００５７】
独立表示モードからミラー表示モードへの遷移条件は、以下の条件（１）〜（２）のいずれかが満たされた場合に満たされる。
（１）タッチパネル５の下方向へのドラッグ、フリック又はエッジインが検出されたこと。
（２）機械式スイッチ類６のうちの、マルチメディア系のスイッチ（例えばマップスイッチや目的地スイッチ）の操作が検出されたこと。
【００５８】
ミラー表示モードから独立表示モードへの遷移条件（復帰条件）は、以下の条件（１１）〜（１４）のいずれかが満たされた場合に満たされる。
（１１）無操作状態が所定時間Ｔ１継続したこと。
（１２）機械式スイッチ類６のうちの、車両制御系スイッチの操作が検出されたこと。
（１３）機械式スイッチ類６のうちの、トップスイッチの操作が検出されたこと。
（１４）タッチパネル５の上方向へのドラッグ、フリック又はエッジインが検出されたこと。
【００５９】
本実施例では、一例として、図５に示すように、表示制御部１１０は、独立表示モードにおける条件（１）〜（２）のいずれかを満たすイベント（モード切替入力）に基づいて、独立表示モードからミラー表示モードへ切り替わる。また、表示制御部１１０は、ミラー表示モードにおける条件（１１）を満たすイベント（特定無操作状態）に基づいて、ミラー表示モードから独立表示モードへ切り替わる。また、表示制御部１１０は、ミラー表示モードにおける条件（１２）〜（１４）のいずれかを満たすイベント（モード切替入力）に基づいて、ミラー表示モードから独立表示モードへ切り替わる。尚、以下では、独立表示モードからミラー表示モードへの切り替わり、及び、ミラー表示モードから独立表示モードへの切り替わりを、「表示モードの切り替わり」とも総称する。
【００６０】
更に、表示制御部１１０は、下表示装置４に、独立表示モード画像とミラー表示モード画像のうちの一方が他方に部分的に隠される複合画像（図８Ｂ、図１０Ｂ参照）を複数のフレーム周期にわたり連続して出力することを含むアニメーション処理を行う。アニメーション処理とは、複数の静止画像（複合画像）により動きを作る処理である。アニメーション処理は、表示モードの切り替わりに先行する自動アニメーション処理（第１アニメーション処理の一例）と、上記の"所定のタッチ入力"と確定されない段階の入力に基づいて実行する指連動型アニメーション処理（第２アニメーション処理の一例）とを含む。また、アニメーション処理は、後述するキャンセル時アニメーション処理を更に含んでよい。
【００６１】
自動アニメーション処理は、時間の経過に伴って、独立表示モード画像とミラー表示モード画像のうちの、切り替わり前の下ＧＵＩ画像の表示範囲を徐々に低減させつつ、切り替わり後の下ＧＵＩ画像を徐々に出現させる態様で、複合画像（図８Ｂ、図１０Ｂ参照）を複数のフレーム周期にわたり変化させてから、切り替わり後の下ＧＵＩ画像を出力する処理である。切り替わり前の下ＧＵＩ画像の表示範囲を徐々に低減させつつ、切り替わり後の下ＧＵＩ画像を徐々に出現させる態様は、複合画像における切り替わり前の下ＧＵＩ画像と切り替わり後の下ＧＵＩ画像間の境界（図８Ｂの上縁９２１、図１０Ｂの下縁９３１参照）が徐々に移動する態様により実現される。かかる自動アニメーション処理を行うことで、ユーザは、表示モードの切り替わりが生じることを視覚的に理解できる。
【００６２】
指連動型アニメーション処理は、タッチパネル５における下方向又は上方向への指の動きに連動させて、複合画像における独立表示モード画像の部位とミラー表示モード画像の部位間の境界（図８Ｂの上縁９２１、図１０Ｂの下縁９３１参照）が下方向又は上方向に移動する態様で、複合画像（図８Ｂ、図１０Ｂ参照）を複数のフレーム周期にわたり変化させる処理である。かかる指連動型アニメーション処理を行うことで、ユーザは、タッチパネル５における下方向又は上方向への指の動きをそのまま継続することで表示モードの切り替わりが生じうることを視覚的に理解できる。
【００６３】
ここで、指連動型アニメーション処理及び自動アニメーション処理とは、複合画像における境界（図８Ｂの上縁９２１、図１０Ｂの下縁９３１参照）が複数のフレーム周期にわたり移動する点で共通である。従って、以下では、共通する部分については、指連動型アニメーション処理と自動アニメーション処理とを区別せずに説明する。アニメーション処理の更なる詳細は、後述する。
【００６４】
更に、表示制御部１１０は、独立表示モードにおける入力受付処理部１１４からの表示変更指令に基づいて、該表示変更指令に応答する処理を行う。表示変更指令に応答する処理は、独立表示モード画像に係る画面遷移や画面スクロール、設定表示などの変更を行う処理である。表示制御部１１０への表示変更指令は、機械式スイッチ類６のうちの、車両制御系スイッチの操作信号や、独立表示モード画像の定義部位に対応付けられる操作入力に基づいて生成される。
【００６５】
入力受付処理部１１４は、タッチパネル５における操作入力に基づいて、下表示装置４に出力されている独立表示モード画像又はミラー表示モード画像に対応付けられた所定機能を実行する特定機能処理を行う。本実施例では、所定機能は、独立表示モード画像内の所定の定義部位に対応付けられた機能（第１所定機能の一例）、及び、ミラー表示モード画像内の所定の定義部位に対応付けられた機能（第２所定機能の一例）を含む。本実施例では、一例として、所定の定義部位は、独立表示モード画像及びミラー表示モード画像の全ての定義部位である。従って、以下では、「所定の定義部位」や「所定機能」という用語は、必要に応じて使用するに留め、単に「定義部位」や「機能」という用語を使用する。
【００６６】
具体的には、入力受付処理部１１４は、下表示装置４に独立表示モード画像が出力された状態において、該独立表示モード画像における定義部位に対応付けられた操作入力に基づいて、該定義部位に対応付けられた機能を実行する。例えば、入力受付処理部１１４は、該機能に対応する制御指令をＣＡＮ３０に送信すると共に、該機能に対応する表示変更指令を表示制御部１１０に与える。ＣＡＮ３０に送信される制御指令は、例えば空調装置の設定値（例えばブロア風量や設定温度等）の変更を指令する。表示制御部１１０に与えられる表示変更指令は、独立表示モード画像に係る画面遷移や画面スクロール、設定表示などの変更などを指令する。従って、独立表示モード中は、独立表示モード画像は、車両制御系のＧＵＩとして機能でき、タッチパネル５は、車両制御系の操作装置として機能できる。
【００６７】
また、入力受付処理部１１４は、下表示装置４にミラー表示モード画像が出力された状態において、該ミラー表示モード画像における定義部位に対応付けられた操作入力に基づいて、該定義部位に対応付けられた機能を実行する。即ち、入力受付処理部１１４は、該機能に対応する操作信号をマルチメディア装置２に与える。従って、ミラー表示モード中は、ミラー表示モード画像は、上画像と共に、マルチメディア装置２に係るＧＵＩとして機能でき、タッチパネル５は、マルチメディア装置２を操作対象とする操作装置として機能できる。
【００６８】
例えば、入力受付処理部１１４は、各独立表示モード画像及び各ミラー表示モード画像に対して用意されたＧＵＩ情報に基づいて、特定機能処理を行う。ＧＵＩ情報は、例えば図６に示すように、各独立表示モード画像及び各ミラー表示モード画像を特定するための画像ＩＤと、画像ＩＤ毎に、１つ以上の各定義部位を特定するための定義部位ＩＤを含む。ＧＵＩ情報は、更に、定義部位ＩＤ毎に、定義部位の位置（範囲）、定義部位に対応付けられる操作入力（操作入力の種別）、定義部位に対応付けられる操作信号（即ち定義部位に対応付けられる機能を実現するための操作信号）、及び操作信号の出力先を含む。尚、ＧＵＩ情報においては、独立表示モード画像に係る操作信号の出力先は、マルチメディア装置２に定義されることはなく、且つ、ミラー表示モード画像に係る操作信号の出力先は、表示制御部１１０に定義されることはない。尚、かかるＧＵＩ情報は、例えば主記憶装置１３に予め記憶される。
【００６９】
例えば、図６において、画像ＩＤ＝００００１は、ミラー表示モード画像に関する。画像ＩＤ＝００００１に係る定義部位ＩＤ００００１の定義部位（ｘｘ１０〜ｘｘ１１、ｙｙ１０〜ｙｙ１１）は、画面のＸ座標がｘｘ１０〜ｘｘ１１で且つ画面のＹ座標がｙｙ１０〜ｙｙ１１である矩形領域を表す。定義部位ＩＤ００００１では、該定義部位でタップが受け付けられ、該タップに応答して表示変更指令Ａがマルチメディア装置２に出力されることになる。同様に、定義部位ＩＤ００００３の定義部位（ｘｘ３０〜ｘｘ３１、ｙｙ３０〜ｙｙ３１）では、該定義部位でフリックが受け付けられ、該フリックに応答してマルチメディア装置２に下方スクロール指令Ｂが出力されることになる。画像ＩＤ＝００００２は、独立表示モード画像に関する。画像ＩＤ＝００００２に係る定義部位ＩＤ００００２の定義部位（ｘｘ２０〜ｘｘ２１、ｙｙ２０〜ｙｙ２１）では、該定義部位でタップが受け付けられ、該タップに応答して設定値増加指令ＢがＣＡＮ３０に出力され且つ表示制御部１１０に表示変更指令Ｂが出力されることになる。
【００７０】
更に、入力受付処理部１１４は、機械式スイッチ類６から入力される操作信号に応じた処理を行う。具体的には、入力受付処理部１１４は、マルチメディア系スイッチに係る操作信号が入力されると、該操作信号をマルチメディア装置２に与える。また、入力受付処理部１１４は、車両制御系スイッチに係る操作信号が入力されると、該操作信号に対応する制御指令をＣＡＮ３０に送信すると共に、該操作信号に対応する表示変更指令を表示制御部１１０に与える。表示制御部１１０に与える表示変更指令は、独立表示モード画像に係る画面遷移や画面スクロール、設定表示などの変更などを指令する。また、入力受付処理部１１４は、トップスイッチに係る操作信号が入力されると、独立表示モード画像のホーム画像への画面遷移を指令する表示変更指令を生成する。入力受付処理部１１４は、トップスイッチに係る表示変更指令を生成すると、該表示変更指令を表示制御部１１０に与える。
【００７１】
以上説明した本実施例の車両用操作装置によれば、とりわけ、以下のような優れた効果が奏される。
【００７２】
先ず、下表示装置４に出力される下ＧＵＩ画像は、上述のように、上表示装置３に出力されている上画像から独立した独立表示モード画像と、上表示装置３に出力されている上画像と外観が同一のミラー表示モード画像とを選択的に含む。表示制御部１１０は、ユーザからのモード切替入力に基づいて、独立表示モードとミラー表示モードとの間で切り替わる。従って、ユーザは、モード切替入力を行うことで、下表示装置４に出力される下ＧＵＩ画像を、独立表示モード画像からミラー表示モード画像に切り替えることができ、利便性が向上する。
【００７３】
また、モード切替入力が所定のタッチ入力を含むので、ユーザは、下表示装置４を直視せずにモード切替入力を行うことも可能となり（又はモード切替入力前に瞬間的な直視で下表示装置４のタッチパネル５の位置を見定めてからモード切替入力を行うことも可能となり）、モード切替入力を行う際の運転者の視線の前方からの移動を抑制できる。
【００７４】
また、独立表示モードとミラー表示モードとの間の遷移は、下表示装置４上の下ＧＵＩ画像の変化（独立表示モード画像及びミラー表示モード画像間の変化）を伴う。従って、ユーザは、下表示装置４での独立表示モード画像及びミラー表示モード画像間の変化を目視することで、独立表示モードとミラー表示モードとの間の切り替わりを視覚的に理解でき、直感的に馴染みやすくなる。
【００７５】
また、独立表示モードでは、ユーザは、独立表示モード画像に対応付けられた機能を下表示装置４での操作で実現できる。従って、ユーザは、ミラー表示モードでは実現できない機能（車両制御系の操作）を、下表示装置４での操作で実現できる。これにより、独立表示モードでは、ユーザは、視認性の比較的高い上表示装置３上で上画像を視認可能な状態としつつ、上画像から独立した独立表示モード画像に係る操作を下表示装置４で行うことが可能となる。従って、独立表示モードでは、ユーザは、走行中、下表示装置４でどのような操作を行う際でも、下表示装置４よりも視認性が良い上表示装置３において、ナビゲーション画像を視認可能な状態に維持することが可能である。
【００７６】
また、ミラー表示モードでは、上表示装置３に出力されている上画像と外観が同一のミラー表示モード画像が下表示装置４に出力される。従って、ユーザは、下表示装置４でマルチメディア装置２の操作（例えばナビゲーション操作）を行うことができる。これにより、ミラー表示モードでは、ユーザは、上表示装置３に出力されている上画像と同一の外観のミラー表示モード画像を下表示装置４で見ながら、該ミラー表示モード画像に係る操作（＝該上画像に係る操作）を下表示装置４で行うことが可能となる。また、これにより、ミラー表示モードでは、ユーザは、視認性の比較的高い上表示装置３上で上画像を見ながら、該上画像に係る操作を下表示装置４で行うことも可能となる。例えばドラッグによる地図スクロールやピンチイン／アウトによる地図の縮小／拡大等のようなモーション系の操作を行う際は、ユーザは、上画像を見ながらあたかも遠隔タッチパッドのように下表示装置４のタッチパネル５での操作が可能であり、特に運転中の見易さとナビゲーション画像に係る操作性が向上する。また、モーション系以外の操作であっても、運転者は、上画像を見て所望の操作項目表示の位置を事前に把握できるので、下表示装置４で同操作項目表示に係る機能を実現する際、前方から視線を外す時間を短縮できる。また、下表示装置４は、上表示装置３よりも低く且つ運転席に近い位置に設けられるので、上表示装置３にタッチパネルを設けて上画像に係る操作を上表示装置３で行う場合よりも、操作性が向上する。
【００７７】
また、上表示装置３に出力される上画像は、ナビゲーション画像等であるので、例えば『既存の単一のタッチパネル付き表示装置』で用いられるＧＵＩ用のソフトウェアを利用することも可能である。また、ミラー表示モード画像は、上画像と外観が同一であるので、ミラー表示モード画像は、図１に示すように、上表示装置３に入力される映像信号を用いて生成できる。これにより、表示制御部１１０におけるミラー表示モード画像の生成に係るソフトウェアや、マルチメディア装置２に係るソフトウェアの開発工数を低減できる。
【００７８】
また、独立表示モード及びミラー表示モードのいずれにおいても、ユーザは、下表示装置４のタッチパネル５での操作で各種機能を実現できる。従って、上表示装置３を表示専用とすることも可能であり、かかる場合には、上表示装置３のコスト（タッチパネルに関連するコスト）を低減できる。また、上表示装置３を表示専用とすることで、上表示装置３を、運転者の手の届かない遠い位置に配置することも可能となり、運転者の上表示装置３への視線方向と走行中の前方への視線方向の差異（上表示装置３上の上画像を視認する際の運転者の視線の前方からの移動量）を最小化することが可能となる。
【００７９】
次に、図７乃至図１０Ｃを参照して、アニメーション処理の好ましい例について説明する。図７乃至図１０Ｃには、上表示装置３、下表示装置４、及び機械式スイッチ類６が併せて示されるが、図７乃至図１０Ｃでは、主に、下表示装置４の下画像について説明する。また、図７乃至図１０Ｃでは、主に、指連動型アニメーション処理を想定した説明がなされるが、自動アニメーション処理についても実質的に同様である。
＜鎧戸モデル＞
アニメーション処理の好ましい例は、鎧戸モデル（戸モデルの一例）に基づく。図７は、鎧戸モデルの概念的な説明図である。
【００８０】
鎧戸モデルは、図７に概念的に示すように、独立表示モード画像がミラー表示モード画像を選択的にカバーする鎧戸９０（戸の一例）となって画面内又は画面外に並進移動するモデルである。換言すると、図７の吹き出しに概念的に示すように、独立表示モード画像を鎧戸９０（独立表示モード画像が室内側に描画された鎧戸９０）に見立て、鎧戸９０を上げ下げすることで、独立表示モード画像が上げられたときはミラー表示モード画像が隠れ独立表示モード画像が下げられたときはミラー表示モード画像が見える態様で、アニメーション処理を実現するモデルである。
【００８１】
図８Ａ乃至図８Ｃは、鎧戸モデルに基づくアニメーション処理の説明図であり、図８Ａは、独立表示モードからミラー表示モードへの切り替わり前の状態を示し、図８Ｂは、独立表示モードからミラー表示モードへの切り替わりに関連するアニメーション処理中の状態（複合画像の一例）を示し、図８Ｃは、独立表示モードからミラー表示モードへの切り替わり後の状態を示す。
【００８２】
図８Ｂには、第１入力（下方へのドラッグ）を行っている手の状態（矢印Ｒ１参照）が模式的に示される。９２０は、独立表示モード画像が室内側に描画された鎧戸（以下、鎧戸画像９２０とも称する）であり、９２１は、鎧戸画像９２０の上縁（上側の境界）を示す。本実施例では、図８Ｂに示すように、複合画像は、境界（上縁９２１参照）よりも下側に鎧戸画像９２０（独立表示モードの一部）を有すると共に、境界（上縁９２１参照）よりも上側にミラー表示モード画像の一部を有する。これは、所定のタッチ入力における第１入力及び第２入力の各方向に関連する。
【００８３】
図８Ｂでは、第１入力に係る指の移動量がΔｙ１のときの状態が示される。鎧戸は、鎧戸の上端を指でドラッグ等して下方に下げなくても、鎧戸のどの位置からでも指でドラッグ等して下方に下げられる。従って、第１入力の開始点は、画面の上端でなくてもよく、例えば、図８Ｂに示すように、画面の上端よりも下方（図８Ｂに示す例では、図８Ｂに示す指の位置からΔｙ１だけ上方が第１入力の開始点）であってもよい。
【００８４】
鎧戸モデルでは、図８Ａ乃至図８Ｃに示すように、鎧戸画像９２０の下に隠れていたミラー表示モード画像（＝上画像、本例ではナビゲーション画像）が鎧戸画像９２０の下方への移動に伴って（矢印Ｒ２参照）、鎧戸画像９２０の上縁９２１と画面の上縁との間に（上側から）徐々に現れる。鎧戸画像９２０の上縁９２１が概念的に画面最下部に到達すると（即ち鎧戸が画面外へと下方に収納されると）、図８Ｃに示すように、鎧戸画像９２０の下に隠れていたミラー表示モード画像が完全に見える状態（画面全体に出力された状態）となる。
【００８５】
鎧戸モデルによれば、ユーザが生活で馴染みのある鎧戸を用いたモデルに基づくことで、独立表示モード画像とミラー表示モード画像との間のレイヤ関係がわかり易くなり、独立表示モード画像とミラー表示モード画像の関係に対するユーザの直感的な理解を促進できる。即ち、独立表示モード画像（鎧戸画像９２０）がミラー表示モード画像よりも上層（室内側）にあることが分かりやすくなる。
【００８６】
また、鎧戸モデルによれば、ナビゲーション画像のような、時間の経過又は車両位置の変化と共に動的に変化するミラー表示モード画像は、アニメーション処理中、画面内の位置が常に固定されているため、描画処理が比較的容易である。
【００８７】
また、図８Ｂに示す例では、鎧戸画像９２０の上端により形成される影効果を表す影表示９２２が描画されるので、独立表示モード画像（鎧戸画像９２０）がミラー表示モード画像よりも上層（室内側）にあることが更に分かりやすくなる。尚、同様の効果を得るために、ミラー表示モード画像は、鎧戸画像９２０によって部分的に隠されているときは、画面のフルサイズよりも若干小さく描画され、鎧戸画像９２０が概念的に画面外へと移動したときに、画面のフルサイズに拡大されるように描画されてもよい。この場合、遠近法的効果により独立表示モード画像とミラー表示モード画像との間のレイヤ関係が更にわかり易くなる。
【００８８】
ここでは、独立表示モードからミラー表示モードへの切り替わりに関連するアニメーション処理を説明したが、逆も実質的に同様である。即ち、ミラー表示モードから独立表示モードへの切り替わりに関連するアニメーション処理は、鎧戸画像９２０の動きが反転するだけで実質的に同様である。即ち、鎧戸を上方向に上昇させて、鎧戸画像９２０の下にミラー表示モード画像を隠す態様で、鎧戸モデルに基づくアニメーション処理が実現される。この際も同様に、鎧戸画像９２０の上昇に伴い、ミラー表示モード画像が画面のフルサイズよりも若干小さくなる態様（即ち後退のイメージ）で描画されてもよい。これにより、遠近法的効果により独立表示モード画像とミラー表示モード画像との間のレイヤ関係が更にわかり易くなる。
【００８９】
尚、鎧戸モデルの変形例として、鎧戸に代えて、襖や雨戸のような、隙間の無いタイプの戸が用いられてもよい。また、上述した鎧戸モデルでは、鎧戸が画面外下側に収納されるが、鎧戸が画面外上側に収納される鎧戸モデルが用いられてもよい。この場合、鎧戸に代えて、シャッタのイメージが使用されてもよい（即ちシャッタモデルが使用されてもよい）。尚、鎧戸が画面外上側に収納される鎧戸モデル又は同様のシャッタモデルの場合、所定のタッチ入力における第１入力及び第２入力のそれぞれの方向（上下方向）は、それぞれ上下反転される。
＜ロールカーテンモデル＞
アニメーション処理の他の好ましい例は、ロールカーテンモデルに基づく。図９は、ロールカーテンモデルの概念的な説明図である。
【００９０】
ロールカーテンモデルは、図９に概念的に示すように、ミラー表示モード画像が独立表示モード画像を選択的にカバーするロールカーテン９２となって画面内に展開又は画面外に巻上げられるモデルである。換言すると、図９の吹き出しに概念的に示すように、ミラー表示モード画像をロールカーテン９２（ミラー表示モード画像が室内側に描画されたロールカーテン９２）に見立て、ロールカーテン９２を展開又は巻上げることで、ミラー表示モード画像が展開されたときはミラー表示モード画像が見えミラー表示モード画像が巻上げられたときは独立表示モード画像が見える態様で、アニメーション処理を実現するモデルである。
【００９１】
図１０Ａ乃至図１０Ｃは、ロールカーテンモデルに基づくアニメーション処理の説明図であり、図１０Ａは、独立表示モードからミラー表示モードへの切り替わり前の状態を示し、図１０Ｂは、独立表示モード画像からミラー表示モード画像に関連するアニメーション処理中の状態（複合画像の一例）を示し、図１０Ｃは、独立表示モードからミラー表示モードへの切り替わり後の状態を示す。
【００９２】
図１０Ｂには、第１入力（下方へのドラッグ）を行っている手の状態（矢印Ｒ１参照）が模式的に示される。９３０は、ミラー表示モード画像が室内側に描画されたロールカーテン（以下、ロールカーテン画像９３０とも称する）であり、９３１は、ロールカーテン画像９３０の下縁（下側の境界）を示す。本実施例では、図１０Ｂに示すように、複合画像は、境界（下縁９３１参照）よりも下側に独立表示モードの一部を有すると共に、境界（下縁９３１参照）よりも上側にロールカーテン画像９３０（ミラー表示モード画像の一部）を有する。これは、所定のタッチ入力における第１入力及び第２入力の各方向に関連する。
【００９３】
図１０Ｂでは、第１入力に係る指の移動量がΔｙ２のときの状態が示される。ロールカーテンは、下縁（例えば下縁からぶら下がる紐のイメージ）を指でドラッグ等して下方に下げることで画面内に展開される。従って、第１入力の開始点は、画面の上端である。図１０Ｂには、画面の上端よりも下方までロールカーテンが展開された状態が示される（矢印Ｒ３参照）。
【００９４】
ロールカーテンモデルでは、図１０Ａ乃至図１０Ｃに示すように、ロールカーテン画像９３０（＝上画像、本例ではナビゲーション画像）の下方への展開に伴って、ロールカーテン画像９３０は、画面上側から下方へと同画像の下縁側（ナビゲーション画像の下縁側）から徐々に現れ、独立表示モード画像が（上側から）徐々に隠されていく。ロールカーテン画像９３０の下縁９３１が概念的に画面最下部に到達すると（又は画面外へと下方に移動すると）、図１０Ｃに示すように、ロールカーテン画像９３０の下に独立表示モード画像が完全に隠れる状態となる（即ちロールカーテン画像９３０が画面全体に出力された状態となる）。
【００９５】
ロールカーテンモデルによれば、ユーザが生活で馴染みのあるロールカーテンを用いたモデルに基づくことで、独立表示モード画像とミラー表示モード画像との間のレイヤ関係がわかり易くなり、独立表示モード画像とミラー表示モード画像の関係に対するユーザの直感的な理解を促進できる。即ち、ミラー表示モード画像（ロールカーテン画像９３０）が独立表示モード画像よりも上層（室内側）にあることが分かりやすくなる。
【００９６】
また、図１０Ｂに示す例では、ロールカーテン画像９３０の下縁により形成される影効果を表す影表示９３２が描画されるので、ミラー表示モード画像（ロールカーテン画像９３０）が独立表示モード画像よりも上層（室内側）にあることが更に分かりやすくなる。尚、同様の効果を得るために、ミラー表示モード画像（ロールカーテン画像９３０）の展開が開始すると、独立表示モード画像が画面のフルサイズよりも若干小さくなる態様（即ち後退のイメージ）で描画されてもよい。これにより、遠近法的効果により独立表示モード画像とミラー表示モード画像との間のレイヤ関係が更にわかり易くなる。
【００９７】
ここでは、独立表示モードからミラー表示モードへの切り替わりに関連するアニメーション処理を説明したが、逆も実質的に同様である。即ち、ミラー表示モードから独立表示モードへの切り替わりに関連するアニメーション処理は、ロールカーテン画像９３０の動きが反転するだけで実質的に同様である。即ち、ロールカーテンを上方向に巻き上げて、ロールカーテン画像９３０の下から独立表示モード画像を出現させる態様で、ロールカーテンモデルに基づくアニメーション処理が実現される。この際も同様に、ロールカーテン画像９３０の上昇中は、独立表示モード画像が画面のフルサイズよりも若干小さく描画され、ロールカーテン画像９３０の上昇が完了した時点で、独立表示モード画像が画面のフルサイズに拡大されるように描画されてもよい。これにより、遠近法的効果により独立表示モード画像とミラー表示モード画像との間のレイヤ関係が更にわかり易くなる。
【００９８】
尚、図９乃至図１０Ｃに示すロールカーテンモデルでは、ミラー表示モード画像（ロールカーテン画像９３０）が独立表示モード画像よりも上層（室内側）にあるレイヤ関係であるが、これに限られない。例えば、変形例では、独立表示モード画像がミラー表示モード画像よりも上層（室内側）にあるレイヤ関係でロールカーテンモデルを実現してもよい。この場合、独立表示モード画像が室内側に描画されたロールカーテン（ロールカーテン画像）が用いられる。そして、ロールカーテン画像の上方への巻き上げに伴って、下に隠れていたミラー表示モード画像がロールカーテン画像の下縁９３１と画面の下縁との間に（下側から）徐々に現れる。ロールカーテン画像が概念的に完全に巻き上げられると、図１０Ｃに示すように、ロールカーテン画像の下に隠れていたミラー表示モード画像が完全に見える状態となる。尚、かかる変形例の場合、所定のタッチ入力における第１入力及び第２入力のそれぞれの方向（上下方向）は、それぞれ上下反転される。
【００９９】
また、図９乃至図１０Ｃに示すロールカーテンモデルでは、ロールカーテンは上側で巻き取られるタイプ（即ちロールカーテン画像９３０の上端側が巻取りされるタイプ）であるが、これに限られない。例えば、下側で巻き取られるタイプ（即ちロールカーテン画像９３０の下端側が巻取りされて上方へと格納されるタイプ）のロールカーテンに基づくロールカーテンモデルが使用されてもよい。この場合、ロールカーテンに代えて、ブラインドのイメージが使用されてもよい。
【０１００】
次に、図１１乃至図１７を参照して、制御ユニット１０の動作例について説明する。ここでは、一例として、上述した鎧戸モデル（図７乃至図８Ｃ）に基づくアニメーション処理を伴う動作例を説明するが、ロールカーテンモデルに基づくアニメーション処理についても実質的に同様に適用できる。以下の動作例において、図９乃至図１０Ｃに示したロールカーテンモデルに基づくアニメーション処理との有意な相違点等については、適宜、説明する。
【０１０１】
図１１は、動作例の説明に用いる各種定義の説明図であり、図１２乃至図１５は、制御ユニット１０の入力受付処理部１１４により実行される処理の一例を示す概略フローチャートである。
【０１０２】
ここでは、図１１に示すように、下表示装置４の画面に対するｘ、ｙ座標及びその正方向を定義する。図１１には、下方へのドラッグ（矢印参照）を行うユーザの手が模式的に示される。以下の説明では、図１１に示すように、現在のタッチ位置を（ｘ、ｙ）とし、タッチ開始（オントリガ）位置を（ｘ０、ｙ０）とし、タッチ終了（オフトリガ）位置を（ｘ１、ｙ１）とする。
【０１０３】
図１２及び図１３は、入力受付処理部１１４により実行される処理の一例を示す概略フローチャートである。図１２に示す処理は、例えばイグニッションスイッチのオン中、所定周期毎に実行される。本実施例では、一例として、所定周期は、下表示装置４におけるフレーム周期に対応する。
【０１０４】
ステップＳ１２００では、入力受付処理部１１４は、現在の表示モードがミラー表示モードであるか否かを判定する。判定結果が"ＹＥＳ"の場合は、ステップＳ１２０１に進み、それ以外の場合（即ち現在の表示モードが独立表示モードである場合）は、図１４の処理に移行する。尚、表示モードの初期モード（イグニッションスイッチがオンされた直後のデフォルトのモード）は、例えば独立表示モードである。
【０１０５】
ステップＳ１２０１では、入力受付処理部１１４は、表示制御部１１０による自動アニメーション処理中か否かを判定する。ステップＳ１２０１は、表示制御部１１０による自動アニメーション処理中に入力を受け付けないようにするために実行される。判定結果が"ＹＥＳ"の場合は、今回の処理周期はそのまま終了し、それ以外の場合は、ステップＳ１２０２に進む。
【０１０６】
ステップＳ１２０２では、入力受付処理部１１４は、今回の処理周期が、独立表示モードからミラー表示モードへ遷移した後の初回周期であるか否かを判定する。判定結果が"ＹＥＳ"の場合は、ステップＳ１２０３に進み、それ以外の場合は、ステップＳ１２０４に進む。
【０１０７】
ステップＳ１２０３では、入力受付処理部１１４は、タイマＴｍを起動する。タイマＴｍは、上述した特定無操作状態を検出するために利用される。タイマＴｍは、起動又はクリア後、所定時間Ｔ１（例えば２０秒）でタイムアウトする。
【０１０８】
ステップＳ１２０４では、入力受付処理部１１４は、機械式スイッチ類６から操作信号が入力されたか否かを判定する。判定結果が"ＹＥＳ"の場合は、ステップＳ１２０６に進み、それ以外の場合は、ステップＳ１２２０に進む。
【０１０９】
ステップＳ１２０６では、入力受付処理部１１４は、タイマＴｍをクリア（リセット）する。
【０１１０】
ステップＳ１２０８では、入力受付処理部１１４は、入力された操作信号に応じた処理を実行する。この処理は、機械式スイッチ類６から操作信号に応答する処理であり、上述した通りである。
【０１１１】
ステップＳ１２２０では、入力受付処理部１１４は、タッチパネル５における入力があるか否かを判定する。タッチパネル５における入力の有無は、タッチパネル５からの検出信号の有無に基づいて判定できる。判定結果が"ＹＥＳ"の場合は、ステップＳ１２２２に進み、それ以外の場合は、ステップＳ１２４０に進む。
【０１１２】
ステップＳ１２２２では、入力受付処理部１１４は、タイマＴｍをクリア（リセット）する。
【０１１３】
ステップＳ１２２４では、入力受付処理部１１４は、タッチパネル５における入力が定義部位に対応付けられた操作入力であるか否かを判定する。定義部位は、上述した通りである。タッチパネル５における入力が定義部位に対応付けられた操作入力であるか否かは、下表示装置４に出力されている下ＧＵＩ画像に係る画像ＩＤと、例えば図６に示すようなＧＵＩ情報に基づいて判定できる。判定結果が"ＹＥＳ"の場合は、ステップＳ１２２６に進み、それ以外の場合は、ステップＳ１２３０に進む。
【０１１４】
ステップＳ１２２６では、入力受付処理部１１４は、定義部位に対応付けられた機能を実行する処理（特定機能処理）を実行する。特定機能処理は、上述の通りである。尚、ミラー表示モード中の本処理は、下表示装置４に出力されているミラー表示モード画像における定義部位に対応付けられた操作信号をマルチメディア装置２に与える処理である。
【０１１５】
ステップＳ１２３０では、入力受付処理部１１４は、タッチ開始位置が下表示装置４の画面外であるか否かを判定する。判定結果が"ＹＥＳ"の場合は、ステップＳ１２３２に進み、それ以外の場合は、ステップＳ１２３６に進む。
【０１１６】
ステップＳ１２３２では、入力受付処理部１１４は、タッチパネル５における一連の入力が"上方向へのエッジイン"による入力であるか否かを判定する。上方向へのエッジインは、上述した通りであり、下表示装置４の画面外の下側から上方向へ指ではらう操作である。判定結果が"ＹＥＳ"の場合は、ステップＳ１２３４に進み、それ以外の場合は、今回の処理周期はそのまま終了する。
【０１１７】
ステップＳ１２３４では、入力受付処理部１１４は、モード切替指令を生成し、表示制御部１１０に与える。モード切替指令は、表示モードの切り替わりを表示制御部１１０に指令する入力である。モード切替指令が与えられたときの表示制御部１１０の処理は、図１６を参照して後述する。
【０１１８】
ステップＳ１２３６では、入力受付処理部１１４は、タッチ開始位置が下表示装置４の画面の下端部であるか否かを判定する。判定結果が"ＹＥＳ"の場合は、図１３を参照して後述する「遷移条件に係るフリック／ドラッグ検出処理」に進み、それ以外の場合は、今回の処理周期はそのまま終了する。
【０１１９】
ステップＳ１２４０では、入力受付処理部１１４は、タイマＴｍがタイムアウトしたか否かを判定する。判定結果が"ＹＥＳ"の場合は、ステップＳ１２４２に進み、それ以外の場合は、今回の処理周期はそのまま終了する。
【０１２０】
ステップＳ１２４２では、入力受付処理部１１４は、モード復帰指令を生成し、表示制御部１１０に与える。モード復帰指令は、ミラー表示モードから独立表示モードへの復帰を表示制御部１１０に指令する入力である。モード復帰指令が与えられたときの表示制御部１１０の処理は、図１６を参照して後述する。
【０１２１】
図１３は、遷移条件に係るフリック／ドラッグ検出処理の一例を示す概略フローチャートである。尚、図１３に示す処理は、図１２のステップＳ１２３６で判定結果が"ＹＥＳ"の場合に実行される。図１３に示す処理は、所定周期毎に実行されるループを含み、ステップＳ１３１６又はステップＳ１３１８が終了すると、次の処理周期で図１２のステップＳ１２００からの処理に戻る。
【０１２２】
ステップＳ１３００では、入力受付処理部１１４は、タッチパネル５における入力があるか否かを判定する。判定結果が"ＹＥＳ"の場合は、ステップＳ１３０２に進み、それ以外の場合は、ステップＳ１３１０に進む。
【０１２３】
ステップＳ１３０２では、入力受付処理部１１４は、タイマＴｍをクリア（リセット）する。
【０１２４】
ステップＳ１３０４では、入力受付処理部１１４は、タッチ開始位置と現在のタッチ位置とに基づいて、現在のタッチ位置がタッチ開始位置よりも上方であるか否かを判定する。即ち、入力受付処理部１１４は、ｙ＜ｙ０であるか否かを判定する。判定結果が"ＹＥＳ"の場合は、ステップＳ１３０６に進み、それ以外の場合は、次の処理周期にステップＳ１３００に戻る。
【０１２５】
ステップＳ１３０６では、入力受付処理部１１４は、現在のタッチ位置とタッチ開始位置とのｙ方向の差分（＝ｙ０−ｙ）を、画面下端からの鎧戸上昇量として算出し、鎧戸上昇量を表示制御部１１０に与える。鎧戸上昇量が与えられたときの表示制御部１１０の処理は、図１６及び図１７を参照して後述する。
【０１２６】
ステップＳ１３１０では、入力受付処理部１１４は、前回の処理周期でのタッチ位置をタッチ終了位置として、オフトリガを検出する。
【０１２７】
ステップＳ１３１２では、入力受付処理部１１４は、今回のタッチパネル５における一連の入力が上方向へのドラッグ及びフリックのいずれであるかを判定（識別）する。今回のタッチパネル５における一連の入力が上方向へのドラッグである場合は、ステップＳ１３１４に進み、今回のタッチパネル５における一連の入力が上方向へのフリックである場合は、ステップＳ１３１６に進む。
【０１２８】
ステップＳ１３１４では、入力受付処理部１１４は、上方向へのドラッグ量（＝ｙ０−ｙ１）が規定値Ｔｄ以上であるか否かを判定する。規定値Ｔｄは、遷移条件を満たすドラッグのドラッグ量に係る閾値である。規定値Ｔｄは、下表示装置４の画面の縦寸法に等しくてもよいが、ここでは、一例として、規定値Ｔｄは、下表示装置４の画面の縦寸法よりも小さい値であり、例えば下表示装置４の画面の縦寸法の半分である。判定結果が"ＹＥＳ"の場合は、ステップＳ１３１６に進み、それ以外の場合は、ステップＳ１３１８に進む。
【０１２９】
ステップＳ１３１６では、入力受付処理部１１４は、モード切替指令を生成し、表示制御部１１０に与える。ステップＳ１３１６が終了すると、図１３の処理が終了となる。
【０１３０】
ステップＳ１３１８では、入力受付処理部１１４は、鎧戸下降指令を生成し、表示制御部１１０に与える。鎧戸下降指令が与えられたときの表示制御部１１０の処理は、図１６及び図１７を参照して後述する。ステップＳ１３１８が終了すると、図１３の処理が終了となる。
【０１３１】
図１２及び図１３に示す処理によれば、ミラー表示モード中にミラー表示モードから独立表示モードへの遷移条件（上述した条件（１１）〜（１４））が満たされた場合に、モード切替指令やモード復帰指令等を生成し、表示制御部１１０に与えることができる。また、上述した条件（１４）における上方向へのドラッグ又はフリックについては、下表示装置４の画面下端からのドラッグ又はフリックに限定される。これは、ミラー表示モードでは、鎧戸は画面外の下側に収容されているイメージであるためである（図８Ｃ参照）。これにより、鎧戸モデルに対するユーザの認識を促進できる。
【０１３２】
図１４及び図１５は、前出の図１２及び図１３に示す処理と共に入力受付処理部１１４により実行される処理の一例を示す概略フローチャートである。図１４に示す処理は、図１２と同様、所定周期毎に実行される。
【０１３３】
図１４に示す処理は、図１２に示す処理に対して、ステップＳ１４１０、ステップＳ１４１２が追加されると共に、ステップＳ１２００〜ステップＳ１２０３、ステップＳ１２２６、及びステップＳ１２３２が、ステップＳ１４００〜ステップＳ１４０３、ステップＳ１４２６、及びステップＳ１４３２でそれぞれ置換され、且つ、ステップＳ１２０６、ステップＳ１２２２、ステップＳ１２３６、ステップＳ１２４０、及びステップＳ１２４２が無い点が異なる。以下では、異なる部分を説明する。
【０１３４】
ステップＳ１４００では、入力受付処理部１１４は、現在の表示モードが独立表示モードであるか否かを判定する。判定結果が"ＹＥＳ"の場合は、ステップＳ１４０１に進み、それ以外の場合（即ち現在の表示モードがミラー表示モードである場合）は、図１２の処理に移行する。
【０１３５】
ステップＳ１４０１では、入力受付処理部１１４は、表示制御部１１０による自動アニメーション処理中か否かを判定する。ステップＳ１４０１は、表示制御部１１０による自動アニメーション処理中に入力を受け付けないようにするために実行される。判定結果が"ＹＥＳ"の場合は、今回の処理周期はそのまま終了し、それ以外の場合は、ステップＳ１４０２に進む。
【０１３６】
ステップＳ１４０２では、入力受付処理部１１４は、今回の処理周期が、ミラー表示モードから独立表示モードへ遷移した後の初回周期であるか否かを判定する。判定結果が"ＹＥＳ"の場合は、ステップＳ１４０３に進み、それ以外の場合は、ステップＳ１２０４に進む。
【０１３７】
ステップＳ１４０３では、入力受付処理部１１４は、タイマＴｍを停止させる。タイマＴｍは、独立表示モードでは使用しないためである。
【０１３８】
ステップＳ１４１０では、入力受付処理部１１４は、入力された操作信号に基づいて、上述した条件（２）「機械式スイッチ類６のうちの、マルチメディア系のスイッチの操作が検出されたこと」が満たされたか否かを判定する。判定結果が"ＹＥＳ"の場合は、ステップＳ１４１２に進み、それ以外の場合は、今回の処理周期はそのまま終了する。
【０１３９】
ステップＳ１４１２では、入力受付処理部１１４は、モード切替指令を生成し、表示制御部１１０に与える。
【０１４０】
ステップＳ１４２６では、入力受付処理部１１４は、定義部位に対応付けられた機能を実行する処理（特定機能処理）を実行する。特定機能処理は、上述の通りである。尚、独立表示モード中の本処理は、下表示装置４に出力されている独立表示モード画像における定義部位に対応付けられた表示変更指令を、表示制御部１１０に与えることを含む。
【０１４１】
ステップＳ１４３２では、入力受付処理部１１４は、タッチパネル５における一連の入力が"下方向へのエッジイン"による入力であるか否かを判定する。下方向へのエッジインは、上述した通りであり、下表示装置４の画面外の上側から下方向へ指ではらう操作である。判定結果が"ＹＥＳ"の場合は、ステップＳ１２３４に進み、それ以外の場合は、今回の処理周期はそのまま終了する。
【０１４２】
図１５に示す処理は、図１３に示す処理に対して、ステップＳ１３０４、ステップＳ１３０６、ステップＳ１３１２、ステップＳ１３１４、及びステップＳ１３１８が、ステップＳ１５０４、ステップＳ１５０６、ステップＳ１５１２、ステップＳ１５１４、及びステップＳ１５１８でそれぞれ置換され、且つ、ステップＳ１３０２が無い点が異なる。以下では、異なる部分を説明する。
【０１４３】
ステップＳ１５０４では、入力受付処理部１１４は、タッチ開始位置と現在のタッチ位置とに基づいて、現在のタッチ位置がタッチ開始位置よりも下方であるか否かを判定する。即ち、入力受付処理部１１４は、ｙ＞ｙ０であるか否かを判定する。判定結果が"ＹＥＳ"の場合は、ステップＳ１５０６に進み、それ以外の場合は、次の処理周期にステップＳ１５００に戻る。
【０１４４】
ステップＳ１５０６では、入力受付処理部１１４は、現在のタッチ位置とタッチ開始位置とのｙ方向の差分（＝ｙ−ｙ０）を、画面上端からの鎧戸下降量として算出し、鎧戸下降量を表示制御部１１０に与える。鎧戸下降量が与えられたときの表示制御部１１０の処理は、図１６及び図１７を参照して後述する。
【０１４５】
ステップＳ１５１２では、入力受付処理部１１４は、今回のタッチパネル５における一連の入力が下方向へのドラッグ及びフリックのいずれであるかを判定（識別）する。今回のタッチパネル５における一連の入力が下方向へのドラッグである場合は、ステップＳ１５１４に進み、今回のタッチパネル５における一連の入力が下方向へのフリックである場合は、ステップＳ１３１６に進む。
【０１４６】
ステップＳ１５１４では、入力受付処理部１１４は、下方向へのドラッグ量（＝ｙ１−ｙ０）が規定値Ｔｄ以上であるか否かを判定する。規定値Ｔｄは、上述のとおりである。判定結果が"ＹＥＳ"の場合は、ステップＳ１３１６に進み、それ以外の場合は、ステップＳ１５１８に進む。
【０１４７】
ステップＳ１５１８では、入力受付処理部１１４は、鎧戸上昇指令を生成し、表示制御部１１０に与える。鎧戸上昇指令が与えられたときの表示制御部１１０の処理は、図１６及び図１７を参照して後述する。ステップＳ１５１８が終了すると、図１５の処理が終了となる。
【０１４８】
図１４及び図１５に示す処理によれば、独立表示モード中に独立表示モードからミラー表示モードへの遷移条件（上述した条件（１）〜（２））が満たされた場合に、モード切替指令を生成し、表示制御部１１０に与えることができる。また、上述した条件（１）における下方向へのドラッグ又はフリックについては、下表示装置４の画面上端からのドラッグ又はフリックに限定されない。これは、図７乃至図８Ｃを参照して上述したように、鎧戸モデルでは、鎧戸がミラー表示モード画像全体をカバーしており鎧戸をどの位置からでも下降させることができるメンタルモデルであるためである（図８Ｃ参照）。これにより、鎧戸モデルに対するユーザの認識を促進できる。尚、ロールカーテンモデルの場合は、上述した条件（１）におけるタッチパネル５の下方向へのドラッグ、フリックは、下表示装置４の画面上端からの下方向へのドラッグ又はフリックに限定される。これは、図９乃至図１０Ｃを参照して上述したように、ロールカーテンモデルでは、ロールカーテンの下縁（例えば下縁からぶら下がる紐のイメージ）を下方に引っ張ることでロールカーテンが画面内に展開されるメンタルモデルであるためである。
【０１４９】
図１６及び図１７は、制御ユニット１０の表示制御部１１０により実行される処理の一例を示す概略フローチャートである。図１６及び図１７は、上述した図１２乃至図１５と連携した処理である。図１６に示す処理は、例えばイグニッションスイッチのオン中、所定周期毎に実行される。所定周期は、上述のように、下表示装置４におけるフレーム周期に対応する。
【０１５０】
ステップＳ１６００では、表示制御部１１０は、イグニッションスイッチのオン後の初回の処理であるか否かを判定する。判定結果が"ＹＥＳ"の場合は、ステップＳ１６０２に進み、それ以外の場合は、ステップＳ１６０６に進む。
【０１５１】
ステップＳ１６０２では、表示制御部１１０は、表示モードを独立表示モードに設定する。
【０１５２】
ステップＳ１６０４では、表示制御部１１０は、下表示装置４に、独立表示モード画像に係るホーム画像を出力する。
【０１５３】
ステップＳ１６０６では、表示制御部１１０は、入力受付処理部１１４からの入力があるか否かを判定する。判定結果が"ＹＥＳ"の場合は、ステップＳ１６０８に進み、それ以外の場合は、ステップＳ１６４０に進む。
【０１５４】
ステップＳ１６０８では、表示制御部１１０は、入力受付処理部１１４からの入力が、モード復帰指令であるか否かを判定する。判定結果が"ＹＥＳ"の場合は、ステップＳ１６１４に進み、それ以外の場合は、ステップＳ１６１０に進む。
【０１５５】
ステップＳ１６１０では、表示制御部１１０は、入力受付処理部１１４からの入力が、モード切替指令であるか否かを判定する。判定結果が"ＹＥＳ"の場合は、ステップＳ１６１２に進み、それ以外の場合は、ステップＳ１６３０に進む。
【０１５６】
ステップＳ１６１２では、表示制御部１１０は、現在の表示モードがミラー表示モードであるか否かを判定する。判定結果が"ＹＥＳ"の場合は、ステップＳ１６１４に進み、それ以外の場合（即ち現在の表示モードが独立表示モードである場合）は、ステップＳ１６２０に進む。
【０１５７】
ステップＳ１６１４では、表示制御部１１０は、表示モードの切り替わり後に出力予定の独立表示モード画像の映像信号と、現在の上画像の映像信号（マルチメディア装置２から取得される映像信号）とに基づいて、ミラー表示モードから独立表示モードへの切り替わりに先行する自動アニメーション処理を実行する。ミラー表示モードから独立表示モードへの切り替わりに先行する自動アニメーション処理は、上述した通りである。
【０１５８】
例えば、表示制御部１１０は、表示モードの切り替わり後に出力予定の独立表示モード画像に基づいて鎧戸画像９２０を生成し、該鎧戸画像９２０と、マルチメディア装置２から取得される映像信号に基づく画像とから複合画像を生成する。尚、表示モードの切り替わり後に出力予定の独立表示モード画像は、入力受付処理部１１４からの入力の属性に応じて、次のようにして決定される。モード切替指令やモード復帰指令の場合は、表示モードの切り替わり後に出力予定の独立表示モード画像は、ホーム画像であってもよいし、直近の独立表示モード画像であってもよい。他方、機械式スイッチ類６（車両制御系スイッチ又はトップスイッチ）からの操作信号に基づく表示変更指令である場合は、表示モードの切り替わり後に出力予定の独立表示モード画像は、該表示変更指令に応じて決まる。例えばトップスイッチの操作信号に基づくモード切替指令である場合は、表示モードの切り替わり後に出力予定の独立表示モード画像は、ホーム画像である。表示制御部１１０は、複合画像における鎧戸画像９２０をフレーム周期毎に所定の上昇量ずつ上昇させ、下画像が、表示モードの切り替わり後に出力予定の独立表示モード画像になったときに、自動アニメーション処理を完了させる。
【０１５９】
ステップＳ１６１６では、表示制御部１１０は、自動アニメーション処理が完了したか否かを判定する。判定結果が"ＹＥＳ"の場合は、ステップＳ１６１８に進み、それ以外の場合は、次の処理周期でステップＳ１６１４に戻る（即ち自動アニメーション処理が継続される）。
【０１６０】
ステップＳ１６１８では、表示制御部１１０は、表示モードを独立表示モードに設定（変更）する。
【０１６１】
ステップＳ１６２０では、表示制御部１１０は、直近の独立表示モード画像に係る映像信号と、現在の上画像の映像信号（マルチメディア装置２から取得される映像信号）とに基づいて、独立表示モードからミラー表示モードへの切り替わりに先行する自動アニメーション処理を実行する。独立表示モードからミラー表示モードへの切り替わりに先行する自動アニメーション処理は、上述した通りである。
【０１６２】
例えば、表示制御部１１０は、直近の独立表示モード画像に係る映像信号に基づいて鎧戸画像９２０を生成し、該鎧戸画像９２０と、マルチメディア装置２から取得される映像信号に基づく画像とから複合画像を生成する。表示制御部１１０は、複合画像における鎧戸画像９２０をフレーム周期毎に所定の下降量ずつ下降させ、下画像が、ミラー表示モード画像になったときに、自動アニメーション処理を完了させる。
【０１６３】
ステップＳ１６２２では、表示制御部１１０は、自動アニメーション処理が完了したか否かを判定する。判定結果が"ＹＥＳ"の場合は、ステップＳ１６２４に進み、それ以外の場合は、次の処理周期でステップＳ１６２０に戻る（即ち自動アニメーション処理が継続される）。
【０１６４】
ステップＳ１６２４では、表示制御部１１０は、表示モードをミラー表示モードに設定（変更）する。
【０１６５】
ステップＳ１６３０では、表示制御部１１０は、入力受付処理部１１４からの入力が、定義部位に対応付けられた表示変更指令及び機械式スイッチ類６の操作信号に係る表示変更指令のいずれかであるか否かを判定する。判定結果が"ＹＥＳ"の場合は、ステップＳ１６３１に進み、それ以外の場合は、図１７を参照して後述する「フリック／ドラッグに係る描画・アニメーション処理」に進む。
【０１６６】
ステップＳ１６３１では、表示制御部１１０は、入力受付処理部１１４からの入力が、車両制御系スイッチ及びトップスイッチのいずれかの操作信号に係る表示変更指令であるか否かを判定する。判定結果が"ＹＥＳ"の場合は、ステップＳ１６３２に進み、それ以外の場合は、ステップＳ１６３３に進む。
【０１６７】
ステップＳ１６３２では、表示制御部１１０は、現在の表示モードがミラー表示モードであるか否かを判定する。判定結果が"ＹＥＳ"の場合は、ステップＳ１６１４に進み、それ以外の場合（即ち現在の表示モードが独立表示モードである場合）は、ステップＳ１６３３に進む。
【０１６８】
ステップＳ１６３３では、表示制御部１１０は、下表示装置４に、表示変更指令に応じた処理結果に基づく独立表示モード画像を出力する。
【０１６９】
ステップＳ１６４０では、表示制御部１１０は、現在の表示モードがミラー表示モードであるか否かを判定する。判定結果が"ＹＥＳ"の場合は、ステップＳ１６４２に進み、判定結果が"ＮＯ"の場合は、ステップＳ１６５０に進む。
【０１７０】
ステップＳ１６４２では、表示制御部１１０は、マルチメディア装置２から取得される映像信号に基づいて、下表示装置４にミラー表示モード画像を出力する。
【０１７１】
ステップＳ１６５０では、表示制御部１１０は、前回の処理周期の映像信号（独立表示モード画像に係る映像信号）に基づいて、独立表示モード画像を出力する。これにより、独立表示モード画像は変化せず維持される。
【０１７２】
図１７は、フリック／ドラッグに係る描画・アニメーション処理の一例を示す概略フローチャートである。尚、図１７に示す処理は、図１６のステップＳ１６３０で判定結果が"ＮＯ"の場合に実行される。図１７に示す処理は、処理周期毎に実行されるループを含み、ステップＳ１７１４、ステップＳ１７２８又はステップＳ１７３４が終了すると、次の処理周期で図１６のステップＳ１６００からの処理に戻る。
【０１７３】
ステップＳ１７００では、表示制御部１１０は、入力受付処理部１１４からの入力が、鎧戸下降量及び鎧戸上昇量のいずれかであるか否かを判定する。判定結果が"ＹＥＳ"の場合は、ステップＳ１７０２に進み、それ以外の場合（即ち、入力受付処理部１１４からの入力が、鎧戸下降量及び鎧戸上昇量のいずれでもない場合）は、ステップＳ１７１０に進む。
【０１７４】
ステップＳ１７０２では、表示制御部１１０は、鎧戸上昇量又は鎧戸下降量だけ鎧戸画像９２０（図８Ｂ）を上昇又は下降させた複合画像を下表示装置４に出力する。尚、鎧戸画像９２０は、直近の独立表示モード画像に係る映像信号に基づいて生成される。これは、以下の図１７の説明における他の鎧戸画像９２０についても同様である。複数の処理周期にわたり変化する鎧戸上昇量又は鎧戸下降量に応じてステップＳ１７０２が実行されることで、指連動型アニメーション処理が実現される。
【０１７５】
ステップＳ１７１０では、表示制御部１１０は、入力受付処理部１１４からの入力が、鎧戸下降指令及び鎧戸上昇指令のいずれかであるか否かを判定する。判定結果が"ＹＥＳ"の場合は、ステップＳ１７１２に進み、それ以外の場合（即ち、入力受付処理部１１４からの入力が、鎧戸下降指令及び鎧戸上昇指令のいずれでもない場合）は、ステップＳ１７２０に進む。
【０１７６】
ステップＳ１７１２では、表示制御部１１０は、鎧戸下降指令又は鎧戸上昇指令に応答して、鎧戸画像９２０（図８Ｂ）を完全に下降させたミラー表示モード画像又は完全に上昇させた独立表示モード画像を目標画像として、該目標画像に向けて、鎧戸画像９２０を所定の下降量又は上昇量ずつフレーム周期毎に下降又は上昇させるアニメーション処理（以下、自動アニメーション処理及び指連動型アニメーション処理との区別のため、「キャンセル時アニメーション処理」と称する）を実行する。
【０１７７】
ステップＳ１７１４では、表示制御部１１０は、キャンセル時アニメーション処理が完了したか否か（即ち、下画像がミラー表示モード画像又は独立表示モード画像になったか否か）を判定する。判定結果が"ＹＥＳ"の場合は、図１７の処理は終了となり、それ以外の場合は、次の処理周期でステップＳ１７１２に戻る（即ちキャンセル時アニメーション処理が継続される）。
【０１７８】
ステップＳ１７２０では、表示制御部１１０は、入力受付処理部１１４からの入力が、モード切替指令であるか否かを判定する。判定結果が"ＹＥＳ"の場合は、ステップＳ１７２２に進み、それ以外の場合は、次の処理周期でステップＳ１７００に戻る。
【０１７９】
ステップＳ１７２２では、表示制御部１１０は、現在の表示モードがミラー表示モードであるか否かを判定する。判定結果が"ＹＥＳ"の場合は、ステップＳ１７２４に進み、それ以外の場合（即ち現在の表示モードが独立表示モードである場合）は、ステップＳ１７３０に進む。
【０１８０】
ステップＳ１７２４では、表示制御部１１０は、複合画像における鎧戸画像９２０を所定の上昇量ずつフレーム周期毎に上昇させる自動アニメーション処理を実行する。
【０１８１】
ステップＳ１７２６では、表示制御部１１０は、自動アニメーション処理が完了したか否か（即ち、下画像が独立表示モード画像になったか否か）を判定する。判定結果が"ＹＥＳ"の場合は、ステップＳ１７２８に進み、それ以外の場合は、次の処理周期でステップＳ１７２４に戻る（即ち自動アニメーション処理が継続される）。
【０１８２】
ステップＳ１７２８では、表示制御部１１０は、表示モードを独立表示モードに設定（変更）する。ステップＳ１７２８が終了すると、図１７の処理が終了となる。
【０１８３】
ステップＳ１７３０では、表示制御部１１０は、複合画像における鎧戸画像９２０を所定の下降量ずつフレーム周期毎に下降させる自動アニメーション処理を実行する。
【０１８４】
ステップＳ１７３２では、表示制御部１１０は、自動アニメーション処理が完了したか否か（即ち、下画像がミラー表示モード画像になったか否か）を判定する。
【０１８５】
ステップＳ１７３４では、表示制御部１１０は、表示モードをミラー表示モードに設定（変更）する。ステップＳ１７３４が終了すると、図１７の処理が終了となる。
【０１８６】
図１２乃至図１７に示す処理によれば、ユーザからのモード切替入力や特定無操作状態に基づいて、鎧戸モデルに基づく自動アニメーション処理を経て、表示モードの切り替わりを実現できる。また、図１２乃至図１７に示す処理によれば、遷移条件を満たすフリック又はドラッグとなり得る入力が検出された場合に、該入力が遷移条件を満たすフリック又はドラッグであると判定(確定)される前の段階から、その時点の指の位置に応じて鎧戸画像９２０を上昇又は下降させる指連動型アニメーション処理を行うことができる。これにより、指の動きに連動して鎧戸画像９２０が動くため、アニメーション処理による効果（例えばレイヤ関係が分かりやすくなる効果）を更に高めることができる。この場合、結果として該入力が遷移条件を満たすフリック又はドラッグでないと判定された場合には、鎧戸下降指令又は鎧戸上昇指令により鎧戸画像９２０が元の状態（表示モードの切り替わりが実現されない状態）に戻される。これにより、ユーザは、ドラッグし始めた後（及びそれに伴い鎧戸画像９２０が出現し始めた後）、規定値Ｔｄ未満のドラック量の間は、指を離すことで、意図しない表示モードの切り替わりをキャンセルできる。
【０１８７】
また、図１２乃至図１７に示す処理によれば、ドラッグ量が規定値Ｔｄ以上である場合に、オフトリガと同時にモード切替指令が生成されて鎧戸画像９２０が自動アニメーション処理により画面外へと引き込まれるので、ユーザは、下表示装置４の画面の上端から下端まで又は下端から上端までドラッグしなくても、所定のタッチ入力を行うことができる。
【０１８８】
尚、図１２乃至図１７に示す処理では、鎧戸画像９２０と指の位置との連動性が分かりやすくなるように、現在のタッチ位置とタッチ開始位置とのｙ方向の差分に等しい鎧戸下降量又は鎧戸上昇量を算出しているが、該差分に対して１より大きい所定比率を乗算して鎧戸下降量又は鎧戸上昇量を算出してもよい。この場合、例えば、規定値Ｔｄ以上の鎧戸下降量又は鎧戸上昇量が算出されるドラッグ（モード切替入力）に基づいて、モード切替指令が生成される。この場合も、ユーザは、下表示装置４の画面の上端から下端まで又は下端から上端までドラッグしなくても、所定のタッチ入力を行うことができる。
【０１８９】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【０１９０】
例えば、上述した実施例において、ミラー表示モード画像は、上画像と外観が同一（ミラー）であるので、ミラー表示モード画像に対応付けられる機能（上画像に係る機能）は、ミラー表示モード画像に係る機能と同一の概念である。但し、ミラー表示モード画像は、上画像と外観が完全に同一である必要はなく、上画像と外観が略同一であってもよい。外観が略同一であれば、ミラー表示モードにおいて、ユーザは、ミラー表示モード画像に係る機能を実現しているのか上画像に係る機能を実現しているのかを混同する虞がないためである。外観が略同一とは、外観上の僅かな相違を許容するものであり、外観が略同一とは、画像要部の外観が同じである態様を指す。従って、例えば図１８に示すように、ポインタ表示５０の有無のような相違があってもよい。具体的には、図１８に示す上画像（上表示装置３に出力される画像）には、ポインタ表示５０が描画されているのに対して、図１８に示すミラー表示モード画像（下表示装置４に出力される画像）は、かかるポインタ表示５０が描画されていない。また、ポインタ表示５０ではなく、選択状態にある操作項目表示を強調させるカーソル表示（図示せず）の有無の相違であってもよい。また、例えば図１９に示すように、操作項目表示の有無のような相違があってもよい。具体的には、図１９に示す上画像には操作項目表示５０１〜５０７が描画されていないのに対して、図１９に示すミラー表示モード画像は、操作項目表示５０１〜５０７が描画されている。尚、図１９には、上画像には図１８に示したようなポインタ表示５０も描画されているが、これら２つ合わせた相違も、上述したような「外観が略同一」の範囲内である。
【０１９１】
また、上述した実施例では、好ましい例として、表示制御部１１０は、アニメーション処理を行うが、これに限られない。即ち、表示制御部１１０は、独立表示モード画像とミラー表示モード画像との間の切り替わりを１フレーム周期で完了させてもよい。
【０１９２】
また、上述した実施例では、上画像は、マルチメディア装置２の操作を行うための各種の画像を含むが、これに限られない。例えば、上画像は、ナビゲーション画像のみを含むものであってもよい。この場合、マルチメディア装置２の操作を行うための各種の画像のうち、オーディオ装置に関する画像等は、独立表示モード画像に含められてもよい。
【０１９３】
また、上述した実施例では、上画像は、マルチメディア装置２の操作を行うための各種の画像を含むが、これに限られない。例えば、上画像は、更に、マルチメディア装置２以外の装置等を操作するための画像を含んでもよい。例えば、上画像は、更に、バックカメラ（図示せず）の映像を含んでもよい。尚、バックカメラの映像は、例えば駐車支援の際に出力され、目標駐車位置の設定などのためのＧＵＩとして機能できる。
【０１９４】
また、上述した実施例では、上表示装置３及び下表示装置４は、車載型のディスプレイであるが、上表示装置３及び下表示装置４の一方又は双方は、車両に持ち込まれて設置されるユーザ端末（例えばスマートフォンやタブレット等）の表示装置により実現されてもよい。この場合、上表示装置３及び下表示装置４のうちの、車両に持ち込まれる表示装置と制御ユニット１０との間の通信は、制御ユニット１０に追加的に設けられる無線送受信部（例えばブルーツース通信部）を介して実現されてもよいし、有線による接続により実現されてもよい。尚、上表示装置３が持ち込まれる場合、上表示装置３は、例えば、インストルメントパネルの上部にアタッチメントを介して取り付けられる。また、下表示装置４が持ち込まれる場合、下表示装置４は、例えば、インストルメントパネルの前面に設置されるクレードルにより保持される。この場合、アタッチメント及びクレードルは、上表示装置３が下表示装置４よりも高く且つ運転席から遠くなるような各位置に設けられる。例えば上表示装置３が車載型であり下表示装置４がユーザ端末として車両に持ち込まれる変形例では、下表示装置４を備えない車両用操作装置（上述の車両用操作装置１から下表示装置４を除いた構成を有する車両用操作装置）は、該ユーザ端末が車両内に持ち込まれた場合に、該ユーザ端末と協動して、上述した車両用操作装置１と同様の機能を実現する。
【０１９５】
また、上述した実施例では、機械式スイッチ類６が設けられるが、機械式スイッチ類６は省略されてもよい。また、機械式スイッチ類６に代えて又は加えて、機械式スイッチ類６と同様の単独の機能を持つ他の形式のスイッチ（可動要素を持つ接点式ではない形式のスイッチ）が設けられてもよい。他の形式のスイッチは、例えば、感圧式フィルムや静電検出タッチ式のスイッチであってよい。
【０１９６】
また、上述した実施例では、モード切替入力の一例である所定のタッチ入力は、定義部位に対応付けられた操作入力を含まない。しかしながら、独立表示モード及びミラー表示モード画像のいずれか又は双方は、上述した所定の定義部位に加えて、モード切替用の定義部位（上述の所定機能ではない機能として、表示モードの切り替え機能が対応付けられた部位）を有してもよい。この場合、モード切替用の定義部位には、モード切替用の操作入力（例えば、タップなど）が対応付けられる。この場合、モード切替入力は、モード切替用の定義部位に対応付けられたモード切替用の操作入力を含むことになる。尚、例えばミラー表示モード画像がモード切替用の定義部位を有する場合、表示制御部１１０は、マルチメディア装置２からの映像信号に基づく画像に、モード切替用の定義部位に係る操作項目表示を重畳することで、モード切替用の定義部位に係る操作項目表示を有するミラー表示モード画像を生成できる。この場合、上画像は、モード切替用の定義部位に係る操作項目表示を有さないが、かかる相違（上画像とミラー表示モード画像との相違）は、上述したような「外観が略同一」の範囲内である。
【０１９７】
また、上述した実施例では、一例として、図５に示すような遷移条件が用いられるが、遷移条件は、適宜、修正できる。例えば、条件（１１）は省略されてもよい。
【０１９８】
また、上述した実施例では、マルチメディア装置２と制御ユニット１０とが別々に設けられ、表示制御部１１０及び入力受付処理部１１４は、制御ユニット１０により実現されるが、これに限られない。例えば、図６に示すＧＵＩ情報のうちのミラー表示モード画像に関する情報は、上画像に関する情報としてマルチメディア装置２側に記憶され、入力受付処理部１１４の一部の機能であるミラー表示モード画像に係る特定機能処理は、マルチメディア装置２におけるコンピュータの処理により実現されてもよい。この場合、ミラー表示モードにおいて、マルチメディア装置２におけるコンピュータは、タッチパネル５からの検出信号と、ＧＵＩ情報のうちの上画像に関する情報とに基づいて、ミラー表示モード画像に係る特定機能処理を実行する。
【符号の説明】
【０１９９】
１  車両用操作装置
２  マルチメディア装置
３  上表示装置
４  下表示装置
５  タッチパネル
６  機械式スイッチ類
１０  制御ユニット
１１  メインＣＰＵ
１２  サブマイコン
１３  主記憶装置
１４  補助記憶装置
３０  ＣＡＮ
４０１〜４１０  操作項目表示
５０  ポインタ表示
９０  鎧戸
９２  ロールカーテン
１１０  表示制御部
１１４  入力受付処理部
５０１〜５０７  操作項目表示
９２０  鎧戸画像
９２１  上縁
９２２  影表示
９３０  ロールカーテン画像
９３１  下縁
９３２  影表示
【図１】
2018058388.tif 000003
【図２】
2018058388.tif 000004
【図３】
2018058388.tif 000005
【図４Ａ】
2018058388.tif 000006
【図４Ｂ】
2018058388.tif 000007
【図５】
2018058388.tif 000008
【図６】
2018058388.tif 000009
【図７】
2018058388.tif 000010
【図８Ａ】
2018058388.tif 000011
【図８Ｂ】
2018058388.tif 000012
【図８Ｃ】
2018058388.tif 000013
【図９】
2018058388.tif 000014
【図１０Ａ】
2018058388.tif 000015
【図１０Ｂ】
2018058388.tif 000016
【図１０Ｃ】
2018058388.tif 000017
【図１１】
2018058388.tif 000018
【図１２】
2018058388.tif 000019
【図１３】
2018058388.tif 000020
【図１４】
2018058388.tif 000021
【図１５】
2018058388.tif 000022
【図１６】
2018058388.tif 000023
【図１７】
2018058388.tif 000024
【図１８】
2018058388.tif 000025
【図１９】
2018058388.tif 000026